(57)【特許請求の範囲】
【請求項１】
磁極（１０１）と、
磁路（１０２）と、
異なる極性の端部を有し、個別の磁極（１０１）および個別の磁極（１０１）に接続されている磁路（１０２）に覆われている永久磁石の磁極（１０３）と、
磁性材料により形成され、磁極（１０１）の一端または両端に設けられており、磁路（１０２）の方向に沿って形成され、磁極（１０１）と磁路（１０２）とを連結する保護カバー（１０１１、１０１２、１０１３、１０１４）と、を備え、
磁極（１０１）と磁路（１０２）とが結合した後、永久磁石の磁極（１０３）の極性の異なる磁極の間で、保護カバーにより形成される磁気回路は、永久磁石の磁極（１０３）の極性の異なる磁極の間を含み、永久磁石の磁極（１０３）の少なくとも一つの密閉の磁気回路を形成し、永久磁石の磁極（１０３）が磁極（１０１）の極面で部分的な磁場を提供し、永久磁石の磁極（１０３）が回転するとき逆方向に励磁される場合、永久磁石の磁極（１０３）の二つの極性の異なる磁極の間に形成されている密閉の磁気回路により磁力線を維持し、逆方向の励磁を抑制することを特徴とする回転電機。
【請求項２】
磁極（１０１）は、個別磁極を形成し、磁路（１０２）と共に永久磁石の磁極（１０３）を覆うことで磁極を形成し、
磁極（１０１）および磁路（１０２）は、珪素含有鋼片、鋼片、または、鉄により形成されており、一体形成されている構造または多層積層構造を有し、または、磁性材料の粉末により作られており、
磁極（１０１）の極面は、電磁効果により磁極（１０１）の極面に対して相対移動可能な別の回転電機構造体に対向しており、凹状または凸状の弧状もしくは平面であり、溝または凹凸部を有することを特徴とする請求項1に記載の回転電機。
【請求項３】
磁極（１０１）は、磁極の磁路頚部（１０４）を有し、
磁極の磁路頚部（１０４）は、磁路（１０２）と共に永久磁石の磁極（１０３）を覆うことで磁極を形成し、
磁極の磁路頚部（１０４）または磁極（１０１）および磁路（１０２）は、珪素含有鋼片、鋼片、または、鉄により形成されており、一体形成されている構造または多層積層構造を有し、または、磁性材料の粉末により作られており、
磁極（１０１）の極面は、電磁効果により磁極（１０１）の極面に対して相対移動可能な別の回転電機構造体に対向しており、凹状または凸状の弧状もしくは平面であり、溝または凹凸部を有することを特徴とする請求項1または２に記載の回転電機。
【請求項４】
内層モータ構造及び外層モータ構造を有する円筒状に形成されており、シリンダー電機の内層構造（１１）及びシリンダー電機の外層構造（１２）を有し、
ａ）シリンダー電機の外層構造（１２）は、シリンダー電機の内層構造（１１）と電磁効果によるカップリングを行い、シリンダー電機の内層構造（１１）の電磁効果によるカップリング面と対向しており、または、
ｂ）シリンダー電機の内層構造（１１）は、シリンダー電機の外層構造（１２）と電磁効果によるカップリングを行い、シリンダー電機の外層構造（１２）の電磁効果によるカップリング面と対向しており、
ａ）およびｂ）に記載の電磁効果によるカップリング面は、設置されている個別磁極の磁極（１０１）と磁路（１０２）との間に永久磁石の磁極（１０３）が覆われており、個別磁極の磁極（１０１）と磁路（１０２）との間に永久磁石の磁極（１０３）が覆われている円筒状のモータを形成することを特徴とする請求項1〜３のいずれか一項に記載の回転電機。
【請求項５】
内環モータ構造、中環モータ構造、及び外環モータ構造が嵌め合うことより構成され、同軸に回転可能である三層の環状モータであり、
同軸三リング電機の内リング構造（２１）、同軸三リング電機の中リング構造（２２）、及び同軸三リング電機の外リング構造（２３）から構成されており、
ａ）同軸三リング電機の外リング構造（２３）は、同軸三リング電機の中リング構造（２２）と電磁効果によるカップリングを行い、同軸三リング電機の中リング構造（２２）の電磁効果によるカップリング面と対向しており、
ｂ）同軸三リング電機の中リング構造（２２）は、外環モータ構造２３と電磁効果によるカップリングを行い、同軸三リング電機の外リング構造（２３）の電磁効果によるカップリング面と対向しており、
ｃ）同軸三リング電機の中リング構造（２２）は、同軸三リング電機の内リング構造（２１）と電磁効果によるカップリングを行い、同軸三リング電機の内リング構造（２１）の電磁効果によるカップリング面と対向しており、または、
ｄ）同軸三リング電機の内リング構造（２１）は、同軸三リング電機の中リング構造（２２）と電磁効果によるカップリングを行い、同軸三リング電機の中リング構造（２２）の電磁効果によるカップリング面と対向しており、
ａ）、ｂ）、ｃ）、およびｂ）に記載の電磁効果によるカップリング面は、設置されている個別磁極の磁極（１０１）と磁路（１０２）との間に永久磁石の磁極（１０３）が覆われており、他の各モータ構造体間のモータ構造形態が、電磁効果の特性に応じて選択可能であり、個別磁極の磁極（１０１）と磁路（１０２）との間に永久磁石の磁極（１０３）が覆われている三層の環状モータを形成することを特徴とする請求項1〜３のいずれか一項に記載の回転電機。
【請求項６】
内環モータ構造、中環モータ構造、及び外環モータ構造が嵌め合うことより構成され、同軸に回転可能である三層の環状モータであり、
同軸三リング電機の内リング構造（２１）、同軸三リング電機の中リング構造（２２）、及び同軸三リング電機の外リング構造（２３）から構成されており、
ａ）同軸三リング電機の外リング構造（２３）は、同軸三リング電機の中リング構造（２２）と電磁効果によるカップリングを行い、同軸三リング電機の中リング構造（２２）の電磁効果によるカップリング面と対向しており、かつ、同軸三リング電機の中リング構造（２２）は、同軸三リング電機の外リング構造（２３）と電磁効果によるカップリングを行い、同軸三リング電機の外リング構造（２３）の電磁効果によるカップリング面と対向しており、
ｂ）同軸三リング電機の外リング構造（２３）は、同軸三リング電機の中リング構造（２２）と電磁効果によるカップリングを行い、同軸三リング電機の中リング構造（２２）の電磁効果によるカップリング面と対向しており、かつ、同軸三リング電機の中リング構造（２２）は、同軸三リング電機の内リング構造（２１）と電磁効果によるカップリングを行い、同軸三リング電機の内リング構造（２１）の電磁効果によるカップリング面と対向しており、
ｃ）同軸三リング電機の外リング構造（２３）は、同軸三リング電機の中リング構造（２２）と電磁効果によるカップリングを行い、同軸三リング電機の中リング構造（２２）の電磁効果によるカップリング面と対向しており、かつ、同軸三リング電機の内リング構造（２１）は、中環モータ構造２２と電磁効果によるカップリングを行い、同軸三リング電機の中リング構造（２２）の電磁効果によるカップリング面と対向しており、または、
ｄ）同軸三リング電機の中リング構造（２２）は、同軸三リング電機の外リング構造（２３）および同軸三リング電機の内リング構造（２１）と電磁効果によるカップリングを行い、同軸三リング電機の外リング構造（２３）および同軸三リング電機の内リング構造（２１）の電磁効果によるカップリング面と対向しており、
ａ）、ｂ）、ｃ）、およびｂ）に記載の電磁効果によるカップリング面は、設置されている個別磁極の磁極（１０１）と磁路（１０２）との間に永久磁石の磁極（１０３）が覆われており、個別磁極の磁極（１０１）と磁路（１０２）との間に永久磁石の磁極（１０３）が覆われている三層の環状モータを形成することを特徴とする請求項1〜３のいずれか一項に記載の回転電機。
【請求項７】
内環モータ構造、中環モータ構造、及び外環モータ構造が嵌め合うことより構成され、同軸に回転可能である三層の環状モータであり、
同軸三リング電機の内リング構造（２１）、同軸三リング電機の中リング構造（２２）、及び同軸三リング電機の外リング構造（２３）から構成されており、
同軸三リング電機の中リング構造（２２）は、同軸三リング電機の内リング構造（２１）及び同軸三リング電機の外リング構造（２３）と電磁効果によるカップリングを行い、磁性伝導体として永久磁石の磁極（１０３）を覆うことにより磁極（１０１）を形成し、永久磁石の磁極（１０３）の両端の極面に磁気伝導極面が形成されており、永久磁石の磁極（１０３）の両端の磁極が、磁気伝導極面を介して同軸三リング電機の内リング構造（２１）及び同軸三リング電機の外リング構造（２３）とカップリングを行い、電磁効果により移動し、永久磁石の両端の極面に磁気伝導極面が形成されている同軸に回転可能である三層の環状モータを形成することを特徴とする請求項1〜３のいずれか一項に記載の回転電機。
【請求項８】
二層のモータ構造が重ね合うことにより構成され、同軸に回転可能である二層構造を有する円盤状モータであり、同軸二層式ディスク電機の内層構造（３１）、および、同軸二層式ディスク電機の外層構造（３２）から構成されており、
同軸二層式ディスク電機の内層構造（３１）は、同軸二層式ディスク電機の外層構造（３２）の電磁効果によるカップリング面と対向しており、個別磁極の磁極（１０１）と磁路（１０２）との間に永久磁石の磁極（１０３）が覆われており、電磁効果により同軸二層式ディスク電機の外層構造（３２）と相対移動可能であり、
同軸二層式ディスク電機の外層構造（３２）は、同軸二層式ディスク電機の内層構造（３１）の電磁効果によるカップリング面と対向しており、個別磁極の磁極（１０１）と磁路（１０２）との間に永久磁石の磁極（１０３）が覆われており、電磁効果により同軸二層式ディスク電機の内層構造（３１）と相対移動可能であり、
個別磁極の磁極（１０１）と磁路（１０２）との間に永久磁石の磁極（１０３）が覆われている二層構造を有する円盤状モータを形成することを特徴とする請求項1〜３のいずれか一項に記載の回転電機。
【請求項９】
内層モータ構造、中層モータ構造、及び外層モータ構造が重ね合うことにより構成され、同軸に回転可能である三層の円盤状モータであり、
同軸三層式ディスク電機の内層構造（４１）、同軸三層式ディスク電機の中層構造（４２）、及び同軸三層式ディスク電機の外層構造（４３）から構成されており、
ａ）同軸三層式ディスク電機の内層構造（４１）は、同軸三層式ディスク電機の中層構造（４２）の電磁効果によるカップリング面と対向しており、
ｂ）同軸三層式ディスク電機の中層構造（４２）は、同軸三層式ディスク電機の内層構造（４１）の電磁効果によるカップリング面と対向しており、
ｃ）同軸三層式ディスク電機の外層構造（４３）は、同軸三層式ディスク電機の中層構造（４２）の電磁効果によるカップリング面と対向しており、または、
ｄ）同軸三層式ディスク電機の中層構造（４２）は、同軸三層式ディスク電機の外層構造（４３）の電磁効果によるカップリング面と対向しており、
ａ）、ｂ）、ｃ）、およびｂ）に記載の電磁効果によるカップリング面は、設置されている個別磁極の磁極（１０１）と磁路（１０２）との間に永久磁石の磁極（１０３）が覆われており、他の各モータ構造体間のモータ構造形態が、電磁効果の特性に応じて選択可能であり、個別磁極の磁極（１０１）と磁路（１０２）との間に永久磁石の磁極（１０３）が覆われている三層の円盤状モータを形成することを特徴とする請求項1〜３のいずれか一項に記載の回転電機。
【請求項１０】
内層モータ構造、中層モータ構造、及び外層モータ構造が重ね合うことにより構成され、同軸に回転可能である三層式のモータであり、
同軸三層式ディスク電機の内層構造（４１）、同軸三層式ディスク電機の中層構造（４２）、及び同軸三層式ディスク電機の外層構造（４３）から構成されており、
ａ）同軸三層式ディスク電機の内層構造（４１）が同軸三層式ディスク電機の中層構造（４２）の電磁効果によるカップリング面と対向しており、かつ、同軸三層式ディスク電機の中層構造（４２）が同軸三層式ディスク電機の外層構造（４３）の電磁効果によるカップリング面と対向しており、
ｂ）同軸三層式ディスク電機の外層構造（４３）が同軸三層式ディスク電機の中層構造（４２）の電磁効果によるカップリング面と対向しており、かつ、同軸三層式ディスク電機の中層構造（４２）が同軸三層式ディスク電機の内層構造（４１）の電磁効果によるカップリング面と対向しており、
ｃ）同軸三層式ディスク電機の内層構造（４１）が同軸三層式ディスク電機の中層構造（４２）の電磁効果によるカップリング面と対向しており、かつ、同軸三層式ディスク電機の外層構造（４３）が同軸三層式ディスク電機の中層構造（４２）の電磁効果によるカップリング面と対向しており、または、
ｄ）同軸三層式ディスク電機の中層構造（４２）の二つの辺が、同軸三層式ディスク電機の内層構造（４１）および同軸三層式ディスク電機の外層構造（４３）の電磁効果によるカップリング面と対向しており、
ａ）、ｂ）、ｃ）、およびｂ）に記載の電磁効果によるカップリング面は、設置されている個別磁極の磁極（１０１）と磁路（１０２）との間に永久磁石の磁極（１０３）が覆われており、個別磁極の磁極（１０１）と磁路（１０２）との間に永久磁石の磁極（１０３）が覆われている三層式の円盤状モータを形成することを特徴とする請求項1〜３のいずれか一項に記載の回転電機。
【請求項１１】
内層モータ構造、中層モータ構造、及び外層モータ構造が重ね合うことにより構成され、同軸に回転可能である三層式のモータであり、
同軸三層式ディスク電機の内層構造（４１）、同軸三層式ディスク電機の中層構造（４２）、及び同軸三層式ディスク電機の外層構造（４３）から構成されており、
同軸三層式ディスク電機の中層構造（４２）は、同軸三層式ディスク電機の内層構造（４１）及び同軸三層式ディスク電機の外層構造（４３）と電磁効果によるカップリングを行い、磁性伝導体として永久磁石の磁極（１０３）を覆うことにより磁極（１０１）を形成し、永久磁石の磁極（１０３）の両端の極面に磁気伝導極面が形成されており、永久磁石の磁極（１０３）の両端の磁極が、磁気伝導極面を介して同軸三層式ディスク電機の内層構造（４１）及び同軸三層式ディスク電機の外層構造（４３）とカップリングを行い、電磁効果により移動し、永久磁石の両端の極面に磁気伝導極面が形成されている同軸に回転可能である三層式の円盤状モータを形成することを特徴とする請求項1〜３のいずれか一項に記載の回転電機。
【請求項１２】
直線型の二層構造により構成されており、直線型のカップリングを行う二層構造を有するリニアモータであって、
二層式リニア電機の内層構造（５１）および二層式リニア電機の外層構造（５２）を有し、
二層式リニア電機の内層構造（５１）は、二層式リニア電機の外層構造（５２）の電磁効果によるカップリング面と対向しており、個別磁極の磁極（１０１）と磁路（１０２）との間に永久磁石の磁極（１０３）が覆われており、電磁効果により二層式リニア電機の外層構造（５２）と相対移動可能であり、
二層式リニア電機の外層構造（５２）は、二層式リニア電機の内層構造（５１）の電磁効果によるカップリング面と対向しており、個別磁極の磁極（１０１）と磁路（１０２）との間に永久磁石の磁極（１０３）が覆われており、電磁効果により二層式リニア電機の内層構造（５１）と相対移動可能であり、
個別磁極の磁極（１０１）と磁路（１０２）との間に永久磁石の磁極（１０３）が覆われている二層構造を有するリニアモータを形成することを特徴とする請求項1〜３のいずれか一項に記載の回転電機。
【請求項１３】
内層直線型モータ構造、中層直線型モータ構造、及び外層直線型モータ構造から構成され、直線型のカップリングを行う三層構造を有するリニアモータであり、
三層式リニア電機の内層構造（６１）、三層式リニア電機の中層構造（６２）、及び三層式リニア電機の外層構造（６３）から構成されており、
ａ）三層式リニア電機の内層構造（６１）は、三層式リニア電機の中層構造（６２）の電磁効果によるカップリング面と対向しており、
ｂ）三層式リニア電機の中層構造（６２）は、三層式リニア電機の内層構造（６１）の電磁効果によるカップリング面と対向しており、
ｃ）三層式リニア電機の外層構造（６３）は、三層式リニア電機の中層構造（６２）の電磁効果によるカップリング面と対向しており、または、
ｄ）三層式リニア電機の中層構造（６２）は、三層式リニア電機の外層構造（６３）の電磁効果によるカップリング面と対向しており、
ａ）、ｂ）、ｃ）、およびｂ）に記載の電磁効果によるカップリング面は、設置されている個別磁極の磁極（１０１）と磁路（１０２）との間に永久磁石の磁極（１０３）が覆われており、他の各モータ構造体間のモータ構造形態が、電磁効果の特性に応じて選択可能であり、個別磁極の磁極（１０１）と磁路（１０２）との間に永久磁石の磁極（１０３）が覆われている三層構造を有するリニアモータを形成することを特徴とする請求項1〜３のいずれか一項に記載の回転電機。
【請求項１４】
内層直線型モータ構造、中層直線型モータ構造、及び外層直線型モータ構造から構成され、直線型のカップリングを行う三層構造を有するリニアモータであり、
三層式リニア電機の内層構造（６１）、三層式リニア電機の中層構造（６２）、及び三層式リニア電機の外層構造（６３）から構成されており、
ａ）三層式リニア電機の中層構造（６２）が三層式リニア電機の外層構造（６３）の電磁効果によるカップリング面と対向しており、かつ、三層式リニア電機の内層構造（６１）が三層式リニア電機の中層構造（６２）の電磁効果によるカップリング面と対向しており、
ｂ）三層式リニア電機の外層構造（６３）が三層式リニア電機の中層構造（６２）の電磁効果によるカップリング面と対向しており、かつ、三層式リニア電機の中層構造（６２）が三層式リニア電機の内層構造（６１）の電磁効果によるカップリング面と対向しており、
ｃ）三層式リニア電機の外層構造（６３）が三層式リニア電機の中層構造（６２）の電磁効果によるカップリング面と対向しており、かつ、三層式リニア電機の内層構造（６１）が三層式リニア電機の中層構造（６２）の電磁効果によるカップリング面と対向しており、または、
ｄ）三層式リニア電機の中層構造（６２）は、三層式リニア電機の外層構造（６３）および三層式リニア電機の内層構造（６１）の電磁効果によるカップリング面と対向しており、
ａ）、ｂ）、ｃ）、およびｂ）に記載の電磁効果によるカップリング面は、設置されている個別磁極の磁極（１０１）と磁路（１０２）との間に永久磁石の磁極（１０３）が覆われており、個別磁極の磁極（１０１）と磁路（１０２）との間に永久磁石の磁極（１０３）が覆われている三層構造を有するリニアモータを形成することを特徴とする請求項1〜３のいずれか一項に記載の回転電機。
【発明の詳細な説明】
【技術分野】
【０００１】
本発明は、一種の磁極或いは磁路によって永久磁石の磁極を覆う電機を提供し、一種の個別磁極の磁極或いは磁路によって永久磁石の磁極を覆う電機を示し、今までの各種電機によく設置されている個別磁極と磁路との間に永久磁石の磁極を覆うものである。
【背景技術】
【０００２】
伝統的な直流や交流回転式電機或いはリニア電機は、ローター式ブラシ電機、ブラシレス電機、リングブラシ電機、シンクロ電機、アシンクロナス電機、正回転電機、電機の中間構造の回転式電機、逆回転電機、ダブルアクション電機、トリプルアクション電機、多層式電機、多リング電機、リニア電機、ブラシレス直流電機、インバーター電機で、発電機或いは電動機、発電機兼電動機機能電機、電磁効果を行う渦巻きカップリング伝動装置、電磁効果を行う渦巻き制動装置等の全ての電機装置に電磁効果を行うために、磁極構造を設置する。
【０００３】
今までよく使われている磁極構造の構成方式は、下記を含む。
通電巻線の励磁型磁極の極面に励磁或いは減磁状態の永久磁石の磁極を設置するものである。
或いは、直流や交流電気エネルギーの通電巻線の励磁型磁極構造である。
或いは、永久磁石の磁極構造である。
図１は、伝統的な永久磁石の磁極の構造を示す模式図である。その利点は励磁電流が不要で、欠点は電機作動中に、逆方向励磁により磁力が弱くなり易いことである。
【発明の概要】
【発明が解決しようとする課題】
【０００４】
本発明の主な目的は、一種の磁極或いは磁路によって永久磁石の磁極を覆う電機を提供し、今までの各種電機によく設置されている個別磁極と磁路との間に永久磁石の磁極を覆うものである。その設置方式は、隣り合う個別磁極と磁路によって覆われる永久磁石の極性は同極性である。或いは、隣り合う個別磁極と磁路によって覆われる永久磁石の極性は異極性である。本発明の磁極或いは磁路によって永久磁石の磁極を覆う電機は、個別磁極と磁路によって永久磁石の磁極を覆う革新的なデザインによって、電機作動中に、逆方向励磁により磁力が弱くなることが避けられる。
【課題を解決するための手段】
【０００５】
一種の磁極或いは磁路によって永久磁石の磁極を覆う電機であって、個別磁極の磁路によって永久磁石の磁極を覆う革新的なデザインによって、電機作動中に、逆方向励磁により磁力が弱くなることが避けられる。
【図面の簡単な説明】
【０００６】
【図１】伝統的な永久磁石の磁極の構造を示す模式図である。
【図２】本発明の一実施形態による磁極或いは磁路によって永久磁石の磁極を覆う電機の個別磁極と磁路との間に永久磁石の磁極を覆う構造を示す模式図である。
【図３】本発明の一実施形態による磁極或いは磁路によって永久磁石の磁極を覆う電機の個別磁極と磁極の頚部磁路との間に永久磁石の磁極を覆う構造を示す模式図である。
【図４】本発明の一実施形態による磁極或いは磁路によって永久磁石の磁極を覆う電機のシリンダー電機へ応用して機械外殻、ベアリング、ファスナー、クーリングブレード、選択設置する導電装置の主体構造以外の外形を示す分解斜視図である。
【図５】本発明の一実施形態による磁極或いは磁路によって永久磁石の磁極を覆う電機の同軸三リング電機へ応用して機械外殻、ベアリング、ファスナー、クーリングブレード、選択設置する導電装置の主体構造以外の外形を示す分解斜視図である。
【図６】本発明の一実施形態による磁極或いは磁路によって永久磁石の磁極を覆う電機の同軸二層式ディスク電機へ応用して機械外殻、ベアリング、ファスナー、クーリングブレード、選択設置する導電装置の主体構造以外の外形を示す分解斜視図である。
【図７】本発明の一実施形態による磁極或いは磁路によって永久磁石の磁極を覆う電機の同軸三層式ディスク電機へ応用して機械外殻、ベアリング、ファスナー、クーリングブレード、選択設置する導電装置の主体構造以外の外形を示す分解斜視図である。
【図８】本発明の一実施形態による磁極或いは磁路によって永久磁石の磁極を覆う電機の二層式リニア電機へ応用して機械外殻、ベアリング、ファスナー、クーリングブレード、選択設置する導電装置の主体構造以外の外形を示す分解斜視図である。
【図９】本発明の一実施形態による磁極或いは磁路によって永久磁石の磁極を覆う電機の三層式リニア電機へ応用して機械外殻、ベアリング、ファスナー、クーリングブレード、選択設置する導電装置の主体構造以外の外形を示す分解斜視図である。
【図１０】本発明の一実施形態による磁極或いは磁路によって永久磁石の磁極を覆う電機のシリンダー電機の構造への応用構造を示す模式図である。
【図１１】本発明の一実施形態による磁極或いは磁路によって永久磁石の磁極を覆う電機のシリンダー電機の構造への応用構造を示す模式図である。
【図１２】本発明の一実施形態による磁極或いは磁路によって永久磁石の磁極を覆う電機の同軸三リング電機の構造への応用構造を示す模式図である。
【図１３】本発明の一実施形態による磁極或いは磁路によって永久磁石の磁極を覆う電機の同軸三リング電機の構造への応用構造を示す模式図である。
【図１４】本発明の一実施形態による磁極或いは磁路によって永久磁石の磁極を覆う電機の同軸三リング電機の構造への応用構造を示す模式図である。
【図１５】本発明の一実施形態による磁極或いは磁路によって永久磁石の磁極を覆う電機の同軸三リング電機の構造への応用構造を示す模式図である。
【図１６】本発明の一実施形態による磁極或いは磁路によって永久磁石の磁極を覆う電機の同軸三リング電機の構造への応用構造を示す模式図である。
【図１７】本発明の一実施形態による磁極或いは磁路によって永久磁石の磁極を覆う電機の同軸三リング電機の構造への応用構造を示す模式図である。
【図１８】本発明の一実施形態による磁極或いは磁路によって永久磁石の磁極を覆う電機の同軸三リング電機の構造への応用構造を示す模式図である。
【図１９】本発明の一実施形態による磁極或いは磁路によって永久磁石の磁極を覆う電機の同軸三リング電機の構造への応用構造を示す模式図である。
【図２０】本発明の一実施形態による磁極或いは磁路によって永久磁石の磁極を覆う電機の同軸三リング電機の構造への応用構造を示す模式図である。
【図２１】本発明の一実施形態による磁極或いは磁路によって永久磁石の磁極を覆う電機の二層式ディスク電機の構造への応用構造を示す模式図である。
【図２２】本発明の一実施形態による磁極或いは磁路によって永久磁石の磁極を覆う電機の同軸三層式ディスク電機の構造への応用構造を示す模式図である。
【図２３】本発明の一実施形態による磁極或いは磁路によって永久磁石の磁極を覆う電機の同軸三層式ディスク電機の構造への応用構造を示す模式図である。
【図２４】本発明の一実施形態による磁極或いは磁路によって永久磁石の磁極を覆う電機の同軸三層式ディスク電機の構造への応用構造を示す模式図である。
【図２５】本発明の一実施形態による磁極或いは磁路によって永久磁石の磁極を覆う電機の同軸三層式ディスク電機の構造への応用構造を示す模式図である。
【図２６】本発明の一実施形態による磁極或いは磁路によって永久磁石の磁極を覆う電機の同軸三層式ディスク電機の構造への応用構造を示す模式図である。
【図２７】本発明の一実施形態による磁極或いは磁路によって永久磁石の磁極を覆う電機の同軸三層式ディスク電機の構造への応用構造を示す模式図である。
【図２８】本発明の一実施形態による磁極或いは磁路によって永久磁石の磁極を覆う電機の同軸三層式ディスク電機の構造への応用構造を示す模式図である。
【図２９】本発明の一実施形態による磁極或いは磁路によって永久磁石の磁極を覆う電機の同軸三層式ディスク電機の構造への応用構造を示す模式図である。
【図３０】本発明の一実施形態による磁極或いは磁路によって永久磁石の磁極を覆う電機の同軸三層式ディスク電機の構造への応用構造を示す模式図である。
【図３１】本発明の一実施形態による磁極或いは磁路によって永久磁石の磁極を覆う電機の二層式リニア電機構造への応用構造を示す模式図である。
【図３２】本発明の一実施形態による磁極或いは磁路によって永久磁石の磁極を覆う電機の三層式リニア電機構造への応用構造を示す模式図である。
【図３３】本発明の一実施形態による磁極或いは磁路によって永久磁石の磁極を覆う電機の三層式リニア電機構造への応用構造を示す模式図である。
【図３４】本発明の一実施形態による磁極或いは磁路によって永久磁石の磁極を覆う電機の三層式リニア電機構造への応用構造を示す模式図である。
【図３５】本発明の一実施形態による磁極或いは磁路によって永久磁石の磁極を覆う電機の三層式リニア電機構造への応用構造を示す模式図である。
【図３６】本発明の一実施形態による磁極或いは磁路によって永久磁石の磁極を覆う電機の三層式リニア電機の構造への応用構造を示す模式図である。
【図３７】本発明の一実施形態による磁極或いは磁路によって永久磁石の磁極を覆う電機の三層式リニア電機の構造への応用構造を示す模式図である。
【図３８】本発明の一実施形態による磁極或いは磁路によって永久磁石の磁極を覆う電機の三層式リニア電機構造への応用構造を示す模式図である。
【図３９】本発明の一実施形態による磁極或いは磁路によって永久磁石の磁極を覆う電機の三層式リニア電機の構造への応用構造を示す模式図である。
【図４０】本発明の一実施形態による磁極或いは磁路によって永久磁石の磁極を覆う電機の三層式リニア電機の構造への応用構造を示す模式図である。
【図４１】本発明の一実施形態による磁極或いは磁路によって永久磁石の磁極を覆う電機のシリンダー電機の外層構造への応用の磁極が極面に近接するところに横向きの槽穴を設置する構造を示す模式図である。
【図４２】本発明の一実施形態による磁極或いは磁路によって永久磁石の磁極を覆う電機のシリンダー電機の内層構造への応用の磁極が極面に近接するところに横向きの槽穴を設置する構造を示す模式図である。
【図４３】本発明の一実施形態による磁極或いは磁路によって永久磁石の磁極を覆う電機のシリンダー電機の外層構造への応用構造を示す分解斜視図である。
【図４４】本発明の一実施形態による磁極或いは磁路によって永久磁石の磁極を覆う電機のシリンダー電機の内層構造への応用構造を示す分解斜視図である。
【図４５】図４３に示したシリンダー電機の外層構造を示す分解斜視図である。
【図４６】図４４に示したシリンダー電機の内層構造を示す分解斜視図である。
【図４７】図４３に示したシリンダー電機の外層構造を示す分解斜視図である。
【図４８】図４４に示したシリンダー電機の内層構造を示す分解斜視図である。
【図４９】本発明の一実施形態による磁極或いは磁路によって永久磁石の磁極を覆う電機のシリンダー電機の外層構造への応用構造を示す分解斜視図である。
【図５０】本発明の一実施形態による磁極或いは磁路によって永久磁石の磁極を覆う電機のシリンダー電機の内層構造への応用構造を示す分解斜視図である。
【図５１】図４９に示したシリンダー電機の外層構造を示す分解斜視図である。
【図５２】図５０に示したシリンダー電機の内層構造を示す分解斜視図である。
【図５３】図４９に示したシリンダー電機の外層構造を示す分解斜視図である。
【図５４】図５０に示したシリンダー電機の内層構造を示す分解斜視図である。
【図５５】図４９に示したシリンダー電機の外層構造を示す分解斜視図である。
【図５６】図５０に示したシリンダー電機の内層構造を示す分解斜視図である。
【図５７】本発明の一実施形態による磁極或いは磁路によって永久磁石の磁極を覆う電機のシリンダー電機の外層構造への応用構造を示す分解斜視図である。
【図５８】本発明の一実施形態による磁極或いは磁路によって永久磁石の磁極を覆う電機のシリンダー電機の内層構造への応用構造を示す分解斜視図である。
【図５９】図５７に示したシリンダー電機の外層構造への応用構造を示す分解斜視図である。
【図６０】図５８に示したシリンダー電機の内層構造への応用構造を示す分解斜視図である。
【図６１】図５７に示したシリンダー電機の外層構造を示す分解斜視図である。
【図６２】図５８に示したシリンダー電機の内層構造を示す分解斜視図である。
【図６３】図５７に示したシリンダー電機の外層構造への応用構造を示す分解斜視図である。
【図６４】図５８に示したシリンダー電機の内層構造への応用構造を示す分解斜視図である。
【図６５】本発明の一実施形態による磁極或いは磁路によって永久磁石の磁極を覆う電機のシリンダー電機の外層構造への応用構造を示す分解斜視図である。
【図６６】本発明の一実施形態による磁極或いは磁路によって永久磁石の磁極を覆う電機のシリンダー電機の内層構造への応用構造を示す分解斜視図である。
【図６７】図６５に示したシリンダー電機の外層構造を示す分解斜視図である。
【図６８】図６６に示したシリンダー電機の内層構造を示す分解斜視図である。
【図６９】図６５に示したシリンダー電機の外層構造を示す分解斜視図である。
【図７０】図６６に示したシリンダー電機の内層構造を示す分解斜視図である。
【図７１】図６５に示したシリンダー電機の外層構造を示す分解斜視図である。
【図７２】図６６に示したシリンダー電機の内層構造を示す分解斜視図である。
【図７３】本発明の一実施形態による磁極或いは磁路によって永久磁石の磁極を覆う電機のシリンダー電機の外層構造を示す分解斜視図である。
【図７４】本発明の一実施形態による磁極或いは磁路によって永久磁石の磁極を覆う電機のシリンダー電機の内層構造を示す分解斜視図である。
【図７５】本発明の一実施形態による磁極或いは磁路によって永久磁石の磁極を覆う電機のシリンダー電機の外層構造を示す分解斜視図である。
【図７６】本発明の一実施形態による磁極或いは磁路によって永久磁石の磁極を覆う電機のシリンダー電機の内層構造を示す分解斜視図である。
【発明を実施するための形態】
【０００７】
図２は、本発明の一実施形態による磁極或いは磁路によって永久磁石の磁極を覆う電機の個別磁極と磁路との間に永久磁石の磁極を覆う構造の模式図を示す。
図２に本実施形態の磁極或いは磁路によって永久磁石の磁極を覆う電機を示し、今までよく各種電機に設置されている個別磁極と連結する磁路によって覆われる永久磁石の磁極である。
【０００８】
本実施形態の磁極或いは磁路によって永久磁石の磁極を覆う方式では、永久磁石の磁極１０３を覆う方式は永久磁石の磁極１０３、磁極１０１、磁路１０２を結合してから、永久磁石の磁極１０３にある二つの異極性の磁極の間に片側或いは片側以上の磁気伝導性材料によって磁路を構成し、永久磁石の磁極１０３にある二つの異極性の磁極の間をカバーする。少なくとも片側或いは全面的に磁気伝導性材料に覆われる電機磁気伝導性磁路を構成することにより、永久磁石の磁極１０３の一部の磁力線を通過させる。かつ永久磁石の磁極１０３は磁極１０１の極面にある程度の磁場強度を形成し、電機作動中、もし永久磁石の磁極１０３が逆方向へ励磁されるとき、永久磁石の磁極１０３にある二つの異極性の磁極の間に閉磁路が保たれ、磁力線が持続維持されることによって、逆方向防止の励磁特性を増強する機能がある。
【０００９】
図２に本実施形態の磁極或いは磁路によって永久磁石の磁極を覆う電機に磁路１０２を設置することによって、永久磁石の磁極１０３の磁極１０１を覆うことにより、磁極を構成することを示す。磁路１０２或いは磁極１０１は、シリコン鋼片や鋼或いは鉄等のよく使われる良好な磁気伝導性材料を使用し、一体構成或いは複数材料が重なり合って構成され、或いは、磁気伝導性材料の粉末冶金より構成されるものである。磁極１０１の極面は電磁効果をインタラクトする別の電機構造体と向かい合い、磁極１０１の極面は、ニーズによって凹凸弧面形或いは平面形を選択し、また、更なるニーズによって溝、凹凸或いは特定の幾何形状を持つ極面を選択することも可能である。
【００１０】
図３は、本実施形態を応用し、個別磁極と磁極の頚部磁路との間に永久磁石の磁極を覆う構造の模式図を示す。
図３で本実施形態の磁極或いは磁路によって永久磁石の磁極を覆う電機の中にある個別磁極は、更に磁極１０１の頸部磁路１０４と磁極１０１によって永久磁石の磁極１０３を覆うことを示す。かつ磁路１０２や磁極の磁路頚部１０４或いは磁極１０１は、シリコン鋼片や鋼或いは鉄等のよく使われる良好な磁気伝導性材料を使用し、一体構成或いは複数材料が重なり合って構成され、或いは、磁気伝導性材料の粉末冶金より構成されるものである。磁極１０１の極面は電磁効果をインタラクトする別の電機構造体と向かい合い、磁極１０１の極面はニーズによって凹凸弧面形或いは平面形を選択し、また、更なるニーズによって溝、凹凸或いは特定の幾何形状を持つ極面を選択することも可能である。
【００１１】
本実施形態の磁極或いは磁路によって永久磁石の磁極を覆う電機は、直流や交流電気エネルギーで作動する回転式電機やリニア電機を始め、ローター式ブラシ電機、ブラシレス電機、リングブラシ電機、シンクロ電機、アシンクロナス電機、正回転電機、電機の中間構造の回転式電機、逆回転電機、ダブルアクション電機、トリプルアクション電機、多層式電機、多リング電機、リニア電機、ブラシレス直流電機、インバーター電機で、発電機、電動機、発電機兼電動機機能電機、電磁効果を行う渦巻きカップリング伝動装置、電磁効果を行う渦巻き制動装置等の電機装置の機能として作動するものを含む。
【００１２】
本実施形態の磁極或いは磁路によって永久磁石の磁極を覆う電機は、個別磁極の磁極１０１と磁路１０２によって永久磁石の磁極１０３を覆う革新的なデザインによって、電機作動中に、逆方向励磁により磁力が弱くなることが避けられる。
本実施形態の磁極或いは磁路によって永久磁石の磁極を覆う電機の電機形式への応用は、下記を含む。
【００１３】
１．電機の内層構造及び電機の外層構造を持つシリンダー電機であって、電機の内層構造１１及び電機の外層構造１２より構成するものを含む。図４は、本実施形態をシリンダー電機へ応用し、機械外殻、ベアリング、ファスナー、クーリングブレード、選択設置する導電装置の主体構造以外の外形の分解斜視図を示す。
２．電機の内リング構造、電機の中リング構造、電機の外リング構造のセットで同軸作動を行う同軸三リング電機によって構成し、電機の内リング構造２１、電機の中リング構造２２、電機の外リング構造２３より構成するものを含む。図５は、本実施形態を同軸三リング電機へ応用し、機械外殻、ベアリング、ファスナー、クーリングブレード、選択設置する導電装置の主体構造以外の外形の分解斜視図を示す。
３．二層構造が重なって同軸作動を行う同軸二層式ディスク電機によって構成し、ディスク電機の内層構造３１及びディスク電機の外層構造３２より構成するものを含む。図６は、本実施形態を同軸二層式ディスク電機へ応用し、機械外殻、ベアリング、ファスナー、クーリングブレード、選択設置する導電装置の主体構造以外の外形の分解斜視図を示す。
【００１４】
４．電機の内層構造、電機の中層構造、電機の外層構造が重なって同軸作動を行う同軸三層式ディスク電機によって構成し、ディスク電機の内層構造４１、ディスク電機の中層構造４２、ディスク電機の外層構造４３より構成するものを含む。図７は、本実施形態を同軸三層式ディスク電機へ応用し、機械外殻、ベアリング、ファスナー、クーリングブレード、選択設置する導電装置の主体構造以外の外形の分解斜視図を示す。
５．リニア電機の二層構造によりリニアカップリングを行う二層式リニア電機によって構成し、リニア電機の内層構造５１、リニア電機の外層構造５２より構成するものを含む。図８は、本実施形態を二層式リニア電機へ応用し、機械外殻、ベアリング、ファスナー、クーリングブレード、選択設置する導電装置の主体構造以外の外形の分解斜視図を示す。
６．リニア電機の内層構造、電機の中層構造、電機の外層構造によりリニアカップリングを行う三層式リニア電機によって構成し、リニア電機の内層構造６１、リニア電機の中層構造６２、リニア電機の外層構造６３より構成するものを含む。図９は、本実施形態を三層式リニア電機へ応用し、機械外殻、ベアリング、ファスナー、クーリングブレード、選択設置する導電装置の主体構造以外の外形の分解斜視図を示す。
【００１５】
下記に本実施形態の各種構造形態の応用例を示す。二ピース電機構造及び三ピース電機構造より構成するものを含む。同じ原理に従って更に多いパーツより構成することもできるので、省略する。
図１０は、本実施形態のシリンダー電機の構造への応用である。その中で電機の内層構造と電磁カップリング効果を行う電機の外層構造は、電機の内層構造の電磁カップリング効果の面に向く。個別磁極と磁路との間に永久磁石の磁極を覆う構造の模式図を示す。
【００１６】
図１０にシリンダー電機の構造を示し、その中で電機の内層構造１１と電磁カップリング効果を行う電機の外層構造１２は、電機の内層構造１１の電磁カップリング効果の面に向く。個別磁極の磁極１０１と磁路１０２との間に永久磁石の磁極１０３を覆い、更に個別磁極と磁路との間に永久磁石の磁極を覆うシリンダー電機を示す。
図１１は、本実施形態のシリンダー電機の構造への応用である。その中で電機の外層構造と電磁カップリング効果を行う電機の内層構造は、電機の外層構造の電磁カップリング効果の面に向く。個別磁極と磁路との間に永久磁石の磁極を覆う構造の模式図を示す。
【００１７】
図１１にシリンダー電機の構造を示し、その中で電機の外層構造１２と電磁カップリング効果を行う電機の内層構造１１は、電機の外層構造１２の電磁カップリング効果の面に向く。個別磁極の磁極１０１と磁路１０２との間に永久磁石の磁極１０３を覆い、更に個別磁極と磁路との間に永久磁石の磁極を覆うシリンダー電機を示す。
図１２は、本実施形態の同軸三リング電機の構造への応用である。その中で電機の中リング構造と電磁カップリング効果を行う電機の外リング構造は、電機の中リング構造の電磁カップリング効果の面に向く。個別磁極と磁路との間に永久磁石の磁極を覆う構造の模式図を示す。
【００１８】
図１２に同軸三リング電機の構造を示し、その中で電機の中リング構造２２と電磁カップリング効果を行う電機の外リング構造２３は、電機の中リング構造２２の電磁カップリング効果の面に向く。個別磁極の磁極１０１と磁路１０２との間に永久磁石の磁極１０３を覆う。電機の中リング構造２２と電磁効果をインタラクトし、電機の中リング構造２２と電機の内リング構造２１との間にある電機構造形態は電磁効果特性のニーズに従って選定してよいが、更に個別磁極と磁路との間に永久磁石の磁極を覆う同軸三リング電機を示す。
【００１９】
図１３は、本実施形態の同軸三リング電機の構造への応用である。その中で電機の外リング構造と電磁カップリング効果を行う電機の中リング構造は、電機の外リング構造の電磁カップリング効果の面に向く。個別磁極と磁路との間に永久磁石の磁極を覆う構造の模式図を示す。
図１３に同軸三リング電機の構造を示し、その中で電機の外リング構造２３と電磁カップリング効果を行う電機の中リング構造２２は、電機の外リング構造２３の電磁カップリング効果の面に向く。個別磁極の磁極１０１と磁路１０２との間に永久磁石の磁極１０３を覆う。電機の外リング構造２３と電磁効果をインタラクトし、電機の中リング構造２２と電機の内リング構造２１との間にある電機構造形態は電磁効果特性のニーズに従って選定してよいが、更に個別磁極と磁路との間に永久磁石の磁極を覆う同軸三リング電機を示す。
【００２０】
図１４は、本実施形態の同軸三リング電機の構造への応用である。その中で電機の内リング構造と電磁カップリング効果を行う電機の中リング構造は、電機の内リング構造の電磁カップリング効果の面に向く。個別磁極と磁路との間に永久磁石の磁極を覆う構造の模式図を示す。
図１４に同軸三リング電機の構造を示し、その中で電機の内リング構造２１と電磁カップリング効果を行う電機の中リング構造２２は、電機の内リング構造２１の電磁カップリング効果の面に向く。個別磁極の磁極１０１と磁路１０２との間に永久磁石の磁極１０３を覆う。電機の内リング構造２１と電磁効果をインタラクトし、電機の中リング構造２２と電機の外リング構造２３との間にある電機構造形態は電磁効果特性のニーズに従って選定してよいが、更に個別磁極と磁路との間に永久磁石の磁極を覆う同軸三リング電機を示す。
【００２１】
図１５は、本実施形態の同軸三リング電機の構造への応用である。その中で電機の中リング構造と電磁カップリング効果を行う電機の内リング構造は、電機の中リング構造の電磁カップリング効果の面に向く。個別磁極と磁路との間に永久磁石の磁極を覆う構造の模式図を示す。
図１５に同軸三リング電機の構造を示し、その中で電機の中リング構造２２と電磁カップリング効果を行う電機の内リング構造２１は、電機の中リング構造２２の電磁カップリング効果の面に向く。個別磁極の磁極１０１と磁路１０２との間に永久磁石の磁極１０３を覆う。電機の中リング構造２２と電磁効果をインタラクトし、電機の中リング構造２２と電機の外リング構造２３との間にある電機構造形態は電磁効果特性のニーズに従って選定してよいが、更に個別磁極と磁路との間に永久磁石の磁極を覆う同軸三リング電機を示す。
【００２２】
図１６は、本実施形態の同軸三リング電機の構造への応用である。その中で電機の中リング構造と電磁カップリング効果を行う電機の内リング構造の電磁カップリング効果の面及び電機の外リング構造と電磁カップリング効果を行う電機の中リング構造の電磁カップリング効果の面に向く。両方に設置する個別磁極と磁路との間に永久磁石の磁極を覆う構造の模式図を示す。
【００２３】
図１６に同軸三リング電機の構造を示し、その中で電機の中リング構造２２と電磁カップリング効果を行う電機の内リング構造２１は、電機の中リング構造２２の電磁カップリング効果の面に向き、及び電機の外リング構造２３と電磁カップリング効果を行う電機の中リング構造２２は、電機の外リング構造２３の電磁カップリング効果の面に向く。両方に設置する個別磁極の磁極１０１と磁路１０２との間に永久磁石の磁極１０３を覆う。更に個別磁極と磁路との間に永久磁石の磁極を覆う同軸三リング電機を示す。
【００２４】
図１７は、本実施形態の同軸三リング電機の構造への応用である。その中で電機の中リング構造と電磁カップリング効果を行う電機の外リング構造の電磁カップリング効果の面及び電機の内リング構造と電磁カップリング効果を行う電機の中リング構造の電磁カップリング効果の面に向く。両方に設置する個別磁極と磁路との間に永久磁石の磁極を覆う構造の模式図を示す。
【００２５】
図１７に同軸三リング電機の構造を示し、その中で電機の中リング構造２２と電磁カップリング効果を行う電機の外リング構造２３は、電機の中リング構造２２の電磁カップリング効果の面に向き、及び電機の内リング構造２１と電磁カップリング効果を行う電機の中リング構造２２は、電機の内リング構造２１の電磁カップリング効果の面に向く。両方に設置する個別磁極の磁極１０１と磁路１０２との間に永久磁石の磁極１０３を覆う。更に個別磁極と磁路との間に永久磁石の磁極を覆う同軸三リング電機を示す。
【００２６】
図１８は、本実施形態の同軸三リング電機の構造への応用である。その中で電機の外リング構造は、電機の中リング構造の電磁カップリング効果の面に向き、及び電機の内リング構造は、電機の中リング構造の電磁カップリング効果の面に向く。両方に設置する個別磁極と磁路との間に永久磁石の磁極を覆う構造の模式図を示す。
図１８に同軸三リング電機の構造を示し、その中で電機の中リング構造２２と電磁カップリング効果を行う電機の外リング構造２３は、電機の中リング構造２２の電磁カップリング効果の面に向き、及び電機の中リング構造２２と電磁カップリング効果を行う電機の内リング構造２１は、電機の中リング構造２２の電磁カップリング効果の面に向く。両方に設置する個別磁極の磁極１０１と磁路１０２との間に永久磁石の磁極１０３を覆うことによって、電機の中リング構造２２と共同して個別磁極と磁路との間に永久磁石の磁極を覆う同軸三リング電機を示す。
【００２７】
図１９は、本実施形態の同軸三リング電機の構造への応用である。その中で電機の外リング構造及び電機の内リング構造と電磁カップリング効果を行う電機の中リング構造は、電機の外リング構造に向き、及び電機の内リング構造の電磁カップリング効果の面に向く。個別磁極と磁路との間に永久磁石の磁極を覆う構造の模式図を示す。
図１９に同軸三リング電機の構造を示し、その中で電機の外リング構造２３及び電機の内リング構造２１と電磁カップリング効果を行う電機の中リング構造２２は、電機の外リング構造２３及び電機の内リング構造２１の電磁カップリング効果の面に向くところに設置する個別磁極の磁極１０１と磁路１０２との間に永久磁石の磁極１０３を覆うことによって、電機の内リング構造２１及び電機の外リング構造２３と電磁効果をインタラクトし、共同して個別磁極と磁路との間に永久磁石の磁極を覆う同軸三リング電機を示す。
【００２８】
図２０は、本実施形態の同軸三リング電機の構造への応用である。その中で電機の内リング構造及び電機の外リング構造と電磁カップリング効果を行う電機の中リング構造は、磁気伝導体で電機の内リング構造及び電機の外リング構造を覆い、両方は両側でカップリングする永久磁石の磁極より磁極を構成する。また、永久磁石の磁極両端の極面に磁気伝導極面を形成する構造の模式図を示す。
【００２９】
図２０に同軸三リング電機の構造を示し、その中で両側の電機の内リング構造２１及び電機の外リング構造２３と電磁カップリング効果を行う電機の中リング構造２２は、磁気伝導体で永久磁石の磁極１０３を覆うことにより、磁極を構成する。また、永久磁石の磁極１０３両端の極面に磁気伝導極面を形成し、永久磁石の磁極１０３両端の磁極は磁気伝導極面体を通して別々に電機の内リング構造２１及び電機の外リング構造２３の両側でカップリングを行い、電磁効果をインタラクトし、更に永久磁石の磁極両端の極面に磁気伝導極面を形成する同軸三リング電機を示す。
【００３０】
図２１は、本実施形態の二層式ディスク電機の構造への応用である。その中でディスク電機の内層構造は、ディスク電機の外層構造の電磁カップリング効果の面に向く。個別磁極と磁路との間に永久磁石の磁極を覆う構造の模式図を示す。
図２１に二層式ディスク電機の構造を示し、その中のディスク電機の内層構造３１は、ディスク電機の外層構造３２の電磁カップリング効果の面に向くところに設置する個別磁極の磁極１０１と磁路１０２との間に永久磁石の磁極１０３を覆い、ディスク電機の外層構造３２と電磁効果をインタラクトする。或いは、ディスク電機の外層構造３２がディスク電機の内層構造３１の電磁カップリング効果の面に向く。個別磁極の磁極１０１と磁路１０２との間に永久磁石の磁極１０３を覆うことによって、ディスク電機の内層構造３１と電磁効果をインタラクトし、更に個別磁極と磁路との間に永久磁石の磁極を覆う二層式ディスク電機を示す。
【００３１】
図２２は、本実施形態の同軸三層式ディスク電機の構造への応用である。その中のディスク電機の内層構造は、ディスク電機の中層構造の電磁カップリング効果の面に向く。個別電磁と磁路との間に永久磁石の磁極を覆う構造の模式図を示す。
図２２に同軸三層式ディスク電機の構造を示し、その中のディスク電機の内層構造４１は、ディスク電機の中層構造４２の電磁カップリング効果の面に向く。個別磁極の磁極１０１と磁路１０２との間に永久磁石の磁極１０３を覆うことによって、ディスク電機の中層構造４２と電磁効果をインタラクトする。ディスク電機の中層構造４２とディスク電機の外層構造４３との間にある電機構造形態は電磁効果特性のニーズに従って選定してよいが、更に個別磁極と磁路との間に永久磁石の磁極を覆う三層式ディスク電機を示す。
【００３２】
図２３は、本実施形態の同軸三層式ディスク電機の構造への応用である。その中のディスク電機の中層構造は、ディスク電機の内層構造の電磁カップリング効果の面に向く。個別電磁と磁路との間に永久磁石の磁極を覆う構造の模式図を示す。
図２３に同軸三層式ディスク電機の構造を示し、その中のディスク電機の中層構造４２は、ディスク電機の内層構造４１の電磁カップリング効果の面に向く。個別磁極の磁極１０１と磁路１０２との間に永久磁石の磁極１０３を覆うことによって、ディスク電機の内層構造４１と電磁効果をインタラクトする。ディスク電機の中層構造４２とディスク電機の外層構造４３との間にある電機構造形態は電磁効果特性のニーズに従って選定してよいが、更に個別磁極と磁路との間に永久磁石の磁極を覆う三層式ディスク電機を示す。
【００３３】
図２４は、本実施形態の同軸三層式ディスク電機の構造への応用である。その中のディスク電機の外層構造は、ディスク電機の中層構造の電磁カップリング効果の面に向く。個別電磁と磁路との間に永久磁石の磁極を覆う構造の模式図を示す。
図２４に同軸三層式ディスク電機の構造を示し、その中のディスク電機の外層構造４３は、ディスク電機の中層構造４２の電磁カップリング効果の面に向く。個別磁極の磁極１０１と磁路１０２との間に永久磁石の磁極１０３を覆うことによって、ディスク電機の中層構造４２と電磁効果をインタラクトする。ディスク電機の中層構造４２とディスク電機の内層構造４１との間にある電機構造形態は電磁効果特性のニーズに従って選定してよいが、更に個別磁極と磁路との間に永久磁石の磁極を覆う三層式ディスク電機を示す。
【００３４】
図２５は、本実施形態の同軸三層式ディスク電機の構造への応用である。その中のディスク電機の中層構造は、ディスク電機の外層構造の電磁カップリング効果の面に向く。個別電磁と磁路との間に永久磁石の磁極を覆う構造の模式図を示す。
図２５に同軸三層式ディスク電機の構造を示し、その中のディスク電機の中層構造４２は、ディスク電機の外層構造４３の電磁カップリング効果の面に向く。個別磁極の磁極１０１と磁路１０２との間に永久磁石の磁極１０３を覆うことによって、ディスク電機の外層構造４３と電磁効果をインタラクトする。ディスク電機の中層構造４２とディスク電機の内層構造４１との間にある電機構造形態は電磁効果特性のニーズに従って選定してよいが、更に個別磁極と磁路との間に永久磁石の磁極を覆う三層式ディスク電機を示す。
【００３５】
図２６は、本実施形態の同軸三層式ディスク電機の構造への応用である。その中のディスク電機の内層構造は、ディスク電機の中層構造の電磁カップリング効果の面に向き、及びディスク電機の中層構造は、ディスク電機の外層構造の電磁カップリング効果の面に向く。両方に設置する個別磁極と磁路との間に永久磁石の磁極を覆う構造の模式図を示す。
図２６に同軸三層式ディスク電機の構造を示し、その中のディスク電機の内層構造４１は、ディスク電機の中層構造４２の電磁カップリング効果の面に向き、及びディスク電機の中層構造４２は、ディスク電機の外層構造４３の電磁カップリング効果の面に向く。両方に設置する個別電磁の磁極１０１と磁路１０２との間に永久磁石の磁極１０３を覆うことによって、ディスク電機の外層構造４３と共同して、個別磁極と磁路との間に永久磁石の磁極を覆う三層式ディスク電機を示す。
【００３６】
図２７は、本実施形態の同軸三層式ディスク電機の構造への応用である。その中のディスク電機の外層構造は、ディスク電機の中層構造の電磁カップリング効果の面に向き、及びディスク電機の中層構造は、ディスク電機の内層構造の電磁カップリング効果の面に向く。両方に設置する個別磁極と磁路との間に永久磁石の磁極を覆う構造の模式図を示す。
図２７に同軸三層式ディスク電機の構造を示し、その中のディスク電機の外層構造４３は、ディスク電機の中層構造４２の電磁カップリング効果の面に向き、及びディスク電機の中層構造４２は、ディスク電機の内層構造４１の電磁カップリング効果の面に向く。両方に設置する個別電磁の磁極１０１と磁路１０２との間に永久磁石の磁極１０３を覆うことによって、更に個別磁極と磁路との間に永久磁石の磁極を覆う三層式ディスク電機を示す。
【００３７】
図２８は、本実施形態の同軸三層式ディスク電機の構造への応用である。その中のディスク電機の内層構造及びディスク電機の外層構造は、ディスク電機の中層構造と電磁カップリング効果を行う電磁カップリング効果の面にある個別電磁と磁路との間に永久磁石の磁極を覆う構造の模式図を示す。
図２８に同軸三層式ディスク電機の構造を示し、その中のディスク電機の内層構造４１は、ディスク電機の中層構造４２の電磁カップリング効果の面に向き、ディスク電機の外層構造４３は、ディスク電機の中層構造４２の電磁カップリング効果の面に向く。両方に設置する個別電磁の磁極１０１と磁路１０２との間に永久磁石の磁極１０３を覆うことにより、ディスク電機の中層構造４２と電磁効果をインタラクトし、更に個別磁極と磁路との間に永久磁石の磁極を覆う同軸三層式ディスク電機を示す。
【００３８】
図２９は、本実施形態の同軸三層式ディスク電機の構造への応用である。その中で両側のディスク電機の内層構造及びディスク電機の外層構造と電磁カップリング効果を行うディスク電機の中層構造の両側に設置する個別磁極と磁路との間に永久磁石の磁極を覆う構造の模式図である。
図２９に同軸三層式ディスク電機の構造を示し、その中のディスク電機の中層構造４２は、ディスク電機の内層構造４１及びディスク電機の外層構造４３の両側で電磁カップリング効果の面に向く。両方に設置する個別磁極の磁極１０１と磁路１０２との間に永久磁石の磁極１０３を覆うことにより、ディスク電機の内層構造４１及びディスク電機の外層構造４３と電磁効果をインタラクトし、更に個別磁極と磁路との間に永久磁石の磁極を覆う同軸三層式ディスク電機を示す。
【００３９】
図３０は、本実施形態の同軸三層式ディスク電機の構造への応用である。その中で両側のディスク電機の内層構造及びディスク電機の外層構造と電磁カップリング効果を行うディスク電機の中層構造は、磁気伝導体によって永久磁石の磁極を覆うことにより、磁極を構成し、また、永久磁石の磁極両端の極面に磁気伝導極面体を形成する構造の模式図である。
【００４０】
図３０に同軸三層式ディスク電機の構造を示し、その中で両側のディスク電機の内層構造４１及びディスク電機の外層構造４３と電磁カップリング効果を行うディスク電機の中層構造４２は、磁気伝導体によって永久磁石の磁極１０３を覆うことにより、磁極１０１を構成する。また、永久磁石の磁極１０３両端の極面に磁気伝導極面を形成する。永久磁石の磁極１０３両端の磁極は磁気伝導極面を経て別々にディスク電機の内層構造４１及びディスク電機の外層構造４３の両側でカップリングを行い、電磁効果をインタラクトする。更に永久磁石の磁極両端の極面に磁気伝導極面を形成する同軸三層式ディスク電機を示す。
【００４１】
図３１は、本実施形態の二層式リニア電機構造への応用である。その中のリニア電機の内層構造は、電磁カップリング効果の面に向く。個別磁極の磁極と磁路との間に永久磁石の磁極を覆う二層式リニア電機構造の模式図を示す。
図３１に二層式リニア電機構造を示し、その中のリニア電機の内層構造５１は、電磁カップリング効果を行うリニア電機の外層構造５２の方向に向く。個別電磁の磁極１０１と磁路１０２との間に永久磁石の磁極１０３を覆うことにより、リニア電機の外層構造５２と電磁効果をインタラクトする。或いは、リニア電機の外層構造５２がリニア電機の内層構造５１の電磁カップリング効果の面に向く。個別磁極の磁極１０１と磁路１０２との間に永久磁石の磁極１０３を覆うことにより、リニア電機の内層構造５１と電磁効果をインタラクトする。更に個別磁極と磁路との間に永久磁石の磁極を覆う二層式リニア電機を示す。
【００４２】
図３２は、本実施形態の三層式リニア電機構造への応用である。その中のリニア電機の外層構造は、リニア電機の中層構造の電磁カップリング効果の面に向く。個別磁極の磁極と磁路との間に永久磁石の磁極を覆う構造の模式図を示す。
図３２に本実施形態の三層式リニア電機構造を示す。その中のリニア電機の外層構造６３は、リニア電機の中層構造６２の電磁カップリング効果の面に向く。個別磁極の磁極１０１と磁路１０との間に永久磁石の磁極１０３を覆うことにより、リニア電機の中層構造６２と電磁効果をインタラクトする。更にリニア電機の中層構造６２とリニア電機の内層構造６１との間の電機構造形態は電磁効果特性のニーズに従って選定してよいが、更に個別電磁と磁路との間に永久磁石の磁極を覆う三層式リニア電機を示す。
【００４３】
図３３は、本実施形態の三層式リニア電機構造への応用である。その中のリニア電機の中層構造は、リニア電機の外層構造の電磁カップリング効果の面に向く。個別磁極の磁極と磁路との間に永久磁石の磁極を覆う構造の模式図を示す。
図３３に本実施形態の三層式リニア電機構造を示す。その中のリニア電機の中層構造６２は、リニア電機の外層構造６３の電磁カップリング効果の面に向く。個別磁極の磁極１０１と磁路１０２との間に永久磁石の磁極１０３を覆うことにより、リニア電機の外層構造６３と電磁効果をインタラクトする。更にリニア電機の中層構造６２とリニア電機の内層構造６１との間の電機構造形態は電磁効果特性のニーズに従って選定してよいが、更に個別電磁と磁路との間に永久磁石の磁極を覆う三層式リング電機を示す。
【００４４】
図３４は、本実施形態の三層式リニア電機構造への応用である。その中のリニア電機の内層構造は、リニア電機の中層構造の電磁カップリング効果の面に向く。個別磁極の磁極と磁路との間に永久磁石の磁極を覆う構造の模式図を示す。
図３４に本実施形態の三層式リニア電機構造を示す。その中のリニア電機の内層構造６１は、リニア電機の中層構造６２の電磁カップリング効果の面に向く。個別磁極の磁極１０１と磁路１０２との間に永久磁石の磁極１０３を覆うことにより、リニア電機の中層構造６２と電磁効果をインタラクトする。更にリニア電機の中層構造６２とリニア電機の外層構造６３との間の電機構造形態は電磁効果特性のニーズに従って選定してよいが、更に個別電磁と磁路との間に永久磁石の磁極を覆う三層式リング電機を示す。
【００４５】
図３５は、本実施形態の三層式リニア電機構造への応用である。その中のリニア電機の中層構造は、リニア電機の内層構造の電磁カップリング効果の面に向く。個別磁極の磁極と磁路との間に永久磁石の磁極を覆う構造の模式図を示す。
図３５に本実施形態の三層式リニア電機構造を示す。その中のリニア電機の中層構造６２は、リニア電機の内層構造６１の電磁カップリング効果の面に向く。個別磁極の磁極１０１と磁路１０２との間に永久磁石の磁極１０３を覆うことにより、リニア電機の内層構造６１と電磁効果をインタラクトする。更にリニア電機の中層構造６２とリニア電機の外層構造６３との間の電機構造形態は電磁効果特性のニーズに従って選定してよいが、更に個別電磁と磁路との間に永久磁石の磁極を覆う三層式リング電機を示す。
【００４６】
図３６は、本実施形態の三層式リニア電機の構造への応用である。その中のリニア電機の中層構造は、リニア電機の外層構造の電磁カップリング効果の面に向き、及びリニア電機の内層構造は、リニア電機の中層構造の電磁カップリング効果の面に向く。両方に設置する個別磁極と磁路との間に永久磁石の磁極を覆う構造の模式図を示す。
図３６に三層式リニア電機の構造を示し、その中のリニア電機の中層構造６２は、リニア電機の外層構造６３の電磁カップリング効果の面に向き、及びリニア電機の内層構造６１は、リニア電機の中層構造６２の電磁カップリング効果の面に向く。両方に設置する個別電磁の磁極１０１と磁路１０２との間に永久磁石の磁極１０３を覆うことによって、更に個別磁極と磁路との間に永久磁石の磁極を覆う三層式リニア電機を示す。
【００４７】
図３７は、本実施形態の三層式リニア電機の構造への応用である。その中のリニア電機の外層構造は、リニア電機の中層構造の電磁カップリング効果の面に向き、及びリニア電機の中層構造は、リニア電機の内層構造の電磁カップリング効果の面に向く。両方に設置する個別磁極と磁路との間に永久磁石の磁極を覆う構造の模式図を示す。
図３７に三層式リニア電機の構造を示し、その中のリニア電機の外層構造６３は、リニア電機の中層構造６２の電磁カップリング効果の面に向き、及びリニア電機の中層構造６２は、リニア電機の内層構造６１の電磁カップリング効果の面に向く。両方に設置する個別電磁の磁極１０１と磁路１０２との間に永久磁石の磁極１０３を覆うことによって、更に個別磁極と磁路との間に永久磁石の磁極を覆う三層式リニア電機を示す。
【００４８】
図３８は、本実施形態の三層式リニア電機構造への応用である。その中でリニア電機の中層構造と電磁カップリング効果を行うリニア電機の外層構造の電磁カップリング面及びリニア電機の中層構造と電磁カップリング効果を行うリニア電機の内層構造の電磁カップリング面の両方に設置する個別電磁と磁路との間に永久磁石の磁極を覆う構造の模式図を示す。
【００４９】
図３８に三層式リニア電機構造を示し、その中のリニア電機の外層構造６３は、リニア電機の中層構造６２の電磁カップリング効果の面に向き、及びリニア電機の内層構造６１は、リニア電機の中層構造６２の電磁カップリング効果の面に向く。両方に設置する個別電磁の磁極１０１と磁路１０２との間に永久磁石の磁極１０３を覆うことにより、リニア電機の中層構造６２と電磁効果をインタラクトする。更に個別磁極と磁路との間に永久磁石の磁極を覆う三層式リニア電機を示す。
【００５０】
図３９は、本実施形態の三層式リニア電機構造への応用である。その中でリニア電機の外層構造及びリニア電機の内層構造と電磁カップリング効果を行うリニア電機の中層構造の両側に電磁カップリング効果を行うところにある個別磁極と磁路との間に永久磁石を覆う磁極構造の模式図を示す。
図３９に三層式リニア電機構造を示し、その中のリニア電機の中層構造６２は、リニア電機の外層構造６３及びリニア電機の内層構造６１と電磁カップリング効果を行う両側の電磁カップリング効果の面に向く。個別磁極の磁極１０１と磁路１０２との間に永久磁石の磁極１０３を覆うことにより、リニア電機の内層構造６１とリニア電機の外層構造６３と電磁効果をインタラクトする。更に個別磁極と磁路との間に永久磁石の磁極を覆う三層式リニア電機を示す。
【００５１】
図４０は、本実施形態の三層式リニア電機の構造への応用である。その中で両側のリニア電機の外層構造及びリニア電機の内層構造と電磁カップリング効果を行うリニア電機の中層構造は、磁気伝導体によって永久磁石の磁極を覆うことにより、磁極を構成する。また、永久磁石の磁極両端の極面に磁気伝導極面体を形成する構造の模式図である。
図４０に三層式リニア電機の構造を示し、その中で両側のリニア電機の外層構造６３及びリニア電機の内層構造６１と電磁カップリング効果を行うリニア電機の中層構造６２は、磁気伝導体によって永久磁石の磁極１０３を覆うことにより、磁極１０１を構成する。また、永久磁石の磁極１０３両端の極面に磁気伝導極面を形成し、永久磁石の磁極１０３両端の磁極は磁気伝導極面を経て別々にリニア電機の内層構造６１及びリニア電機の外層構造６３の両側でカップリングを行い、電磁効果をインタラクトし、更に永久磁石の磁極両端の極面に磁気伝導極面を形成する三層式リニア電機を示す。
【００５２】
上記図９から図４０で述べた磁極或いは磁路によって永久磁石の磁極を覆う電機について、磁極及び磁路に覆われる永久磁石の磁極は、同軸三リング電機構造体、同軸三層式ディスク電機構造体、三層式リニア電機構造体或いは別の三ピースの電機構造体より電磁効果をインタラクトする電機構造の中間電機構造体に設置したものを含む。
永久磁石の磁極１０３の中間電機構造体に取り付けるものは、電機の静止部或いは電機の可動部であってよい。
【００５３】
上記図９から図４０で述べた実施形態では、各電機構造の電磁カップリング効果の面に設置する磁極の極数は、ニーズに従って同極数或いは異極数の選択が可能である。
本実施形態の磁極或いは磁路によって永久磁石の磁極を覆う電機について、実際に応用するときに、上記通りに二個の電磁効果を通してインタラクトする電機パーツのシリンダー電機（図１０または図１１）、二層式ディスク電機（図２１）、二層式リニア電機（図３１）の中で、発電機機能、電動機機能、電磁効果を行う渦巻きカップリング伝動機能、電磁効果の渦巻き制動機能を形成する二個のインタラクトする電機パーツの作動形態は下記を含む。
【００５４】
（１）その中で一個の電機パーツを電機の静止部とし、もう一個の電機パーツを電機の可動部とする。
（２）或いは、両方の電機パーツを全て電機の可動部とする。
本実施形態の個別磁極或いは磁路によって永久磁石の磁極を覆う電機は、実際に応用するときに、上記通りに三個の電磁効果を通してインタラクトする電機パーツの同軸三リング電機（図１２から図２０）、同軸三層式ディスク電機（図２２から図３０）、三層式リニア電機（図３２から図４０）、別の三ピースの電機構造体と電磁カップリング効果の面にインタラクトする電機構造の中で、発電機機能、電動機機能、発電機兼電動機機能、電磁効果を行う渦巻きカップリング伝動機能、電磁効果を行う渦巻き制動機能を形成する三個のインタラクトする電機パーツの構成機能は下記を含む。
【００５５】
（１）その中で一個の電磁パーツを電機の静止部とし、残りの二個の電磁パーツを電機の可動部とする。
（２）或いは、その中で二個の電磁パーツを電機の静止部とし、残りの一個の電磁パーツを電機の可動部とする。
（３）或いは、三個の電磁パーツを全て電機の可動部とする。
【００５６】
本実施形態の磁極或いは磁路によって永久磁石の磁極を覆う電機は、上記の図２から図３３で述べた各項の実施形態の中で、個別磁極と磁極によって永久磁石の磁極を覆う電機パーツ及び電磁カップリング効果をインタラクトするほかの電機パーツでは、電機構造及び巻線の選択及び配置方式は電機全体の属性に従って、入力した電気エネルギーの性質、制御機能、制御様式及び出力性能のニーズにより選定するものは電磁効果をインタラクトする特性に従って、構成される電機全体は直流や交流電気エネルギーで作動するロータリー電機やリニア電機を始め、ローター式ブラシ電機、ブラシレス電機、リングブラシ電機、シンクロ電機、アシンクロナス電機、正回転電機、逆回転電機、トリプルアクション電機、多層式電機、多リング電機、リニア電機、ブラシレス直流電機、インバーター電機で、発電機、電動機、発電機兼電動機機能電機、電磁効果を行う渦巻きカップリング伝動装置、電磁効果を行う渦巻き制動装置等の電機装置の機能として作動するものを含む。
【００５７】
本実施形態の磁極或いは磁路によって永久磁石の磁極を覆う電機の個別磁極と磁路１０２によって永久磁石の磁極１０３を覆う方式の例を下記に挙げる。ファスナーで固定或いは挟み固定、ネジや袋ナットで固定、リベットで固定、ピンと穴構造で固定、ぴったりした寸法及び選定した幾何形状に合わせて嵌め込み固定、磁路構造で挟み圧迫、機械外殻で挟み圧迫、専用部材で挟み圧迫、接着材料で接着、融合、ハンダ等の方式で永久磁石の磁極１０３を覆い、或いは、ほかの永久磁石の磁極１０３等によく使われる固定方式を含む。
【００５８】
本実施形態の磁極或いは磁路によって永久磁石の磁極を覆う電機では、永久磁石の磁極１０３を覆う方式は、磁極１０１と磁路１０２を結合させてから、磁極１０１に設置する永久磁石の磁極１０３にある二つの異極性磁極の間に片側或いは片側以上に磁気伝導性材料より構成する磁路を設ける。永久磁石の磁極１０３にある二つの異極性磁極の片側或いは片側以上または全面的にカバーすることにより、一部の磁力線を通過させる。かつ永久磁石の磁極１０３は磁極１０１の極面に永久磁石の磁極１０３が元強度のある程度の磁場強度を形成し、永久磁石の磁極１０３の異極性である磁極の間に磁気伝導性材料より構成する磁路を並列またはカバーすることにより、一部の磁力線を通過させる。その目的は、電機作動中、もし永久磁石の磁極１０３が逆方向へ励磁されるとき、永久磁石の磁極１０３にある二つの異極性である磁極の間に閉磁路が保たれ、磁力線が持続維持されることによって、逆方向防止の励磁特性を増強する機能がある。
【００５９】
各実施形態について例を挙げて、下記に説明する。
図４１は、本実施形態のシリンダー電機の外層構造への応用である。磁極が極面に近接するところに永久磁石の磁極を入れる横向きの槽穴を設置する実施形態の模式図を示す。
図４１は、本実施形態のシリンダー電機の外層構造への応用である。磁極１０１が電磁カップリング効果の面の辺縁に近接するところに永久磁石の磁極１０３を入れる横向きの槽穴を設置する。横向きの槽穴は、線形、弧形、特定の幾何形状、電磁カップリング効果の面に沿って平行する形状であってよい。
【００６０】
図４２は、本実施形態のシリンダー電機の内層構造への応用である。磁極が極面に近接するところに永久磁石の磁極を入れる横向きの槽穴を設置する実施形態の模式図を示す。
図４２は、本実施形態のシリンダー電機の内層構造への応用である。磁極１０１が電磁カップリング効果の面の辺縁に近接するところに永久磁石の磁極１０３を入れる横向きの槽穴を設置する。横向きの槽穴は、線形、弧形、特定の幾何形状、電磁カップリング効果の面に沿って平行する形状であってよい。
【００６１】
上記の図４１及び図４２に示す実施形態に永久磁石の磁極１０３の磁極１０１を入れる横向きの槽穴を設置するとき、ニーズによって磁極１０１の片側或いは両側に磁気伝導性或いは非磁気伝導性材料で作る保護カバーを選択設置し、保護カバーの構成は下記を含む。
（１）保護カバーを設置しない。
（２）或いは、永久磁石の磁極１０３の片側或いは両側に保護カバーを加設し、保護カバーの長さは磁極１０１と永久磁石の磁極１０３を併せた長さと同じである。
【００６２】
（３）或いは、ブロック状或いはシート状磁気伝導体によって構成される磁極１０１の片側或いは両側に保護カバーを加設することにより、シート状磁気伝導体によって構成される磁極１０１を挟み付け、保護カバーは磁路１０２方向に向かって延伸し、かつ磁路１０２に結合する。
（４）或いは、磁極１０１の厚さより薄い永久磁石の磁極１０３を横向きの槽穴に置き、かつ横向きの槽穴の片端或いは両端に保護カバー或いはスペーサーを詰め込む。
【００６３】
図４３は、本実施形態のシリンダー電機の外層構造への応用である。シート状磁気伝導体によって構成する磁極が極面に近接するところに永久磁石の磁極を入れる横向きの槽穴を設置する。また、磁極の両端の片側或いは両側に磁極と同じ長さの保護カバーを加設することにより、磁極を挟み付け、及び永久磁石の磁極を覆う実施形態の分解斜視図を示す。
図４３は、本実施形態のシリンダー電機の外層構造への応用である。シート状磁気伝導体によって構成する磁極１０１が電磁カップリング効果の面の辺縁に近接するところに横向きの槽穴を設置する。横向きの槽穴は、線形、弧形、特定の幾何形状、電磁カップリング効果の面に沿って平行する形状であって、相対形状の永久磁石の磁極１０３を入れる。また、ニーズによって磁極１０１の片側或いは両側に磁極と同じ長さの保護カバー１０１１を加設することにより、磁極１０１を挟み付けまた永久磁石の磁極１０３を覆う。加設する保護カバーは磁気伝導性或いは非磁気伝導性材料で作ることが可能であることを示す。
【００６４】
図４４は、本実施形態のシリンダー電機の内層構造への応用である。シート状磁気伝導体によって構成する磁極が極面に近接するところに永久磁石の磁極を入れる横向きの槽穴を設置する。また、磁極の片側或いは両側に磁極と同じ長さの保護カバーを加設することにより、磁極を挟み付け、及び永久磁石の磁極を覆う実施形態の分解斜視図を示す。
図４４は、本実施形態のシリンダー電機の内層構造への応用である。シート状磁気伝導体によって構成する磁極１０１が電磁カップリング効果の面の辺縁に近接するところに横向きの槽穴を設置する。横向きの槽穴は、線形、弧形、特定の幾何形状、電磁カップリング効果の面に沿って平行する形状であって、相対形状の永久磁石の磁極１０３を入れる。また、ニーズによって磁極１０１の片側或いは両側に磁極と同じ長さの保護カバー１０１１を加設することにより、磁極１０１を挟み付けまた永久磁石の磁極１０３を覆う。加設する保護カバーは磁気伝導性或いは非磁気伝導性材料で作ることが可能であることを示す。
【００６５】
図４５は、図４３に示したシリンダー電機の外層構造である。磁極の両端の片側或いは両側にシート状磁気伝導体によって構成する磁極を挟み付けまた永久磁石の磁極を覆う保護カバーを加設する実施形態の分解斜視図を示す。
図４５は、図４３に示したシリンダー電機の外層構造への応用である。シート状磁気伝導体によって構成する磁極１０１が電磁カップリング効果の面の辺縁に近接するところに横向きの槽穴を設置する。横向きの槽穴は、線形、弧形、特定の幾何形状、電磁カップリング効果の面に沿って平行する形状であって、相対形状の永久磁石の磁極１０３を入れる。また、ニーズによって磁極１０１の片側或いは両側に保護カバー１０１１を加設することにより、磁極１０１を挟み付けまた永久磁石の磁極１０３を覆う。加設する保護カバー１０１１は、磁路１０２方向に向かって延伸し、かつ磁路１０２で結合する。保護カバーは磁気伝導性或いは非磁気伝導性材料で作ることが可能であることを示す。
【００６６】
図４６は、図４４に示したシリンダー電機の内層構造である。磁極の片側或いは両側にシート状磁気伝導体によって構成する磁極を挟み付けまた永久磁石の磁極を覆う保護カバーを加設する実施形態の分解斜視図を示す。
図４６は、図４４に示したシリンダー電機の内層構造への応用である。シート状磁気伝導体によって構成する磁極１０１が電磁カップリング効果の面の辺縁に近接するところに横向きの槽穴を設置する。横向きの槽穴は、線形、弧形、特定の幾何形状、電磁カップリング効果の面に沿って平行する形状であって、相対形状の永久磁石の磁極１０３を入れる。また、ニーズによって磁極１０１の片側或いは両側に保護カバー１０１１を加設することにより、磁極１０１を挟み付けまた永久磁石の磁極１０３を覆う。加設する保護カバーは、磁路１０２方向に向かって延伸し、かつ磁路１０２で結合する。保護カバーは磁気伝導性或いは非磁気伝導性材料で作ることが可能であることを示す。
【００６７】
図４７は、図４３に示したシリンダー電機の外層構造である。ブロック状磁気伝導体の磁極が極面に近接するところに永久磁石の磁極を入れる横向きの槽穴を設置する。また、磁極の両端の片側或いは両側に保護カバーを加設することにより、磁極を挟み付けまた永久磁石の磁極を覆う。保護カバーは磁路方向に向かって延伸し、かつ磁路で結合する実施形態の分解斜視図を示す。
【００６８】
図４７は、図４３に示したシリンダー電機の外層構造への応用である。ブロック状によって構成する磁極１０１が電磁カップリング効果の面の辺縁に近接するところに相対形状の永久磁石の磁極１０３を入れる横向きの槽穴を設置する。横向きの槽穴は、線形、弧形、特定の幾何形状、電磁カップリング効果の面に沿って平行する形状であってよい。また、ニーズによって磁極１０１の片側或いは両側に保護カバー１０１１を加設することにより、磁極１０１を挟み付けまた永久磁石の磁極１０３を覆う。保護カバーは、磁路１０２方向に向かって延伸し、かつ磁路１０２で結合する。加設する保護カバー１０１は磁気伝導性或いは非磁気伝導性材料で作ることが可能であることを示す。
【００６９】
図４８は、図４４に示したシリンダー電機の内層構造である。ブロック状磁気伝導体の磁極が極面に近接するところに永久磁石の磁極を入れる横向きの槽穴を設置する。また、磁極の片側或いは両側に保護カバーを加設することにより、磁極を挟み付けまた永久磁石の磁極を覆う。保護カバーは磁路方向に向かって延伸し、かつ磁路で結合する実施形態の分解斜視図を示す。
【００７０】
図４８は、図４４に示したシリンダー電機の内層構造への応用である。ブロック状によって構成する磁極１０１が電磁カップリング効果の面の辺縁に近接するところに相対形状の永久磁石の磁極１０３を入れる横向きの槽穴を設置する。横向きの槽穴は、線形、弧形、特定の幾何形状、電磁カップリング効果の面に沿って平行する形状であってよい。また、ニーズによって磁極１０１の片側或いは両側に保護カバー１０１１を加設することにより、磁極１０１を挟み付けまた永久磁石の磁極１０３を覆う。保護カバー１０１は、磁路１０２方向に向かって延伸し、かつ磁路１０２で結合する。加設する保護カバーは磁気伝導性或いは非磁気伝導性材料で作ることが可能であることを示す。
【００７１】
図４９は、本実施形態のシリンダー電機の外層構造への応用である。シート状磁気伝導体によって構成する磁極が磁路の辺縁に近接するところに永久磁石の磁極を入れる軸向きの凹構造を設置する実施形態の分解斜視図を示す。
図４９は、本実施形態のシリンダー電機の外層構造への応用である。シート状磁気伝導体によって構成する磁極１０１が磁路１０２の辺縁に近接するところに軸向きの凹構造を設置し、軸向きの凹口の陥凹底面は平面、曲面、特定の幾何形状、電磁カップリング効果の面に沿って平行する形状であって、相対形状の永久磁石の磁極１０３を入れることを示す。
【００７２】
図５０は、本実施形態のシリンダー電機の内層構造への応用である。シート状磁気伝導体によって構成する磁極が磁路の辺縁に近接するところに永久磁石の磁極を入れる軸向きの凹構造を設置する実施形態の分解斜視図を示す。
図５０は、本実施形態のシリンダー電機の内層構造への応用である。シート状磁気伝導体によって構成する磁極１０１が磁路１０２の辺縁に近接するところに軸向きの凹構造を設置し、軸向きの凹口の陥凹底面は平面、曲面、特定の幾何形状、電磁カップリング効果の面に沿って平行する形状であって、相対形状の永久磁石の磁極１０３を入れることを示す。
【００７３】
図５１は、図４９に示したシリンダー電機の外層構造である。シート状磁気伝導体によって構成する磁極が磁路の辺縁に近接するところに永久磁石の磁極を入れる軸向きの凹構造を設置する。また、磁極の片側或いは両側にシート状磁気伝導体によって構成する磁極を挟み付けまた永久磁石の磁極を覆う保護カバーを加設する実施形態の分解斜視図を示す。
【００７４】
図５１は、図４９に示したシリンダー電機の外層構造への応用である。シート状磁気伝導体によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによってブロック状磁極１０１の片側或いは両側にシート状磁気伝導体によって構成する磁極１０１を挟み付ける保護カバー１０１２を加設し、保護カバー１０１２は磁路１０２方向に向かって延伸し、かつ磁路１０２で結合することを示す。
【００７５】
図５２は、図５０に示したシリンダー電機の内層構造である。シート状磁気伝導体によって構成する磁極が磁路の辺縁に近接するところに永久磁石の磁極を入れる軸向きの凹構造を設置する。また、磁極の片側或いは両側にシート状磁気伝導体によって構成する磁極を挟み付けまた永久磁石の磁極を覆う保護カバーを加設する実施形態の分解斜視図を示す。
【００７６】
図５２は、図５０に示したシリンダー電機の内層構造への応用である。シート状磁気伝導体によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによってブロック状磁極１０１の片側或いは両側にシート状磁気伝導体によって構成する磁極１０１を挟み付ける保護カバー１０１２を加設し、保護カバー１０１２は磁路１０２方向に向かって延伸し、かつ磁路１０２で結合することを示す。
【００７７】
図５３は、図４９に示したシリンダー電機の外層構造である。ブロック状によって構成する磁極が磁路の辺縁に近接するところに永久磁石の磁極を入れる軸向きの凹構造を設置する。また、ブロック状磁極の片側或いは両側にブロック状磁極を挟み付ける保護カバーを加設し、保護カバーは磁路方向に向かって延伸し、かつ磁路で結合する実施形態の分解斜視図を示す。
【００７８】
図５３は、図４９に示したシリンダー電機の外層構造への応用である。ブロック状によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによってブロック状磁極１０１の片側或いは両側にブロック状磁極１０１を挟み付ける保護カバー１０１２を加設し、保護カバー１０１２は磁路１０２方向に向かって延伸し、かつ磁路１０２で結合することを示す。
【００７９】
図５４は、図５０に示したシリンダー電機の内層構造である。ブロック状によって構成する磁極が磁路の辺縁に近接するところに永久磁石の磁極を入れる軸向きの凹構造を設置する。また、ブロック状磁極の片側或いは両側にブロック状磁極を挟み付ける保護カバーを加設し、保護カバーは磁路方向に向かって延伸し、かつ磁路で結合する実施形態の分解斜視図を示す。
【００８０】
図５４は、図５０に示したシリンダー電機の内層構造への応用である。ブロック状によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによってブロック状磁極１０１の片側或いは両側にブロック状磁極１０１を挟み付ける保護カバー１０１２を加設し、保護カバー１０１２は磁路１０２方向に向かって延伸し、かつ磁路１０２で結合することを示す。
【００８１】
図５５は、図４９に示したシリンダー電機の外層構造である。全体がブロック状である磁極が磁路の辺縁に近接するところに永久磁石の磁極を入れる軸向きの凹構造を設置する。また、全体がブロック状である磁極の片側或いは両側に磁路方向に向かって延伸し、磁気伝導性保護カバーを形成する実施形態の分解斜視図を示す。
図５５は、図４９に示したシリンダー電機の外層構造への応用である。全体がブロック状である磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、全体がブロック状である磁極１０１の片側或いは両側に磁路１０２方向に向かって延伸し、かつ磁路１０２で結合し、更に永久磁石の磁極１０３の片側或いは両側に保護カバー１０１２を形成することを示す。
【００８２】
図５６は、図５０に示したシリンダー電機の内層構造である。全体がブロック状である磁極が磁路の辺縁に近接するところに永久磁石の磁極を入れる軸向きの凹構造を設置する。また、全体がブロック状である磁極の片側或いは両側に磁路方向に向かって延伸し、磁気伝導性保護カバーを形成する実施形態の分解斜視図を示す。
図５６は、図５０に示したシリンダー電機の内層構造への応用である。全体がブロック状である磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、全体がブロック状である磁極１０１の片側或いは両側に磁路１０２方向に向かって延伸し、かつ磁路１０２で結合し、更に永久磁石の磁極１０３の片側或いは両側に保護カバー１０１２を形成することを示す。
【００８３】
図５７は、本実施形態のシリンダー電機の外層構造への応用である。シート状磁気伝導体によって構成する磁極が磁路の辺縁に近接するところに永久磁石の磁極を入れる軸向きの凹構造を設置する。また、磁極の片側或いは両側にシート状磁気伝導体によって構成する磁極を挟み付けまた永久磁石の磁極を挟み囲む保護カバーを加設する実施形態の分解斜視図を示す。
【００８４】
図５７は、本実施形態のシリンダー電機の外層構造への応用である。シート状磁気伝導体によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側にシート状磁気伝導体によって構成する磁極１０１を挟み付けまた永久磁石の磁極１０３を挟み囲む保護カバー１０１３を加設し、加設する保護カバー１０１３は磁気伝導性或いは非磁気伝導性材料で作ることが可能であることを示す。
【００８５】
図５８は、本実施形態のシリンダー電機の内層構造への応用である。シート状磁気伝導体によって構成する磁極が磁路の辺縁に近接するところに永久磁石の磁極を入れる軸向きの凹構造を設置する。また、磁極の片側或いは両側にシート状磁気伝導体によって構成する磁極を挟み付けまた永久磁石の磁極を挟み囲む保護カバーを加設する実施形態の分解斜視図を示す。
【００８６】
図５８は、本実施形態のシリンダー電機の内層構造への応用である。シート状磁気伝導体によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側にシート状磁気伝導体によって構成する磁極１０１を挟み付けまた永久磁石の磁極１０３を挟み囲む保護カバー１０１３を加設し、加設する保護カバー１０１３は磁気伝導性或いは非磁気伝導性材料で作ることが可能であることを示す。
【００８７】
図５９は、図５７に示したシリンダー電機の外層構造への応用である。磁極の片側或いは両側にシート状磁気伝達体によって構成する磁極を挟み付けまた永久磁石の磁極を挟み囲む保護カバーを加設し、保護カバーは磁路方向に向かって延伸し、かつ磁路で結合する実施形態の分解斜視図を示す。
図５９は、図５７に示したシリンダー電機の外層構造への応用である。シート状磁気伝導体によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側にシート状磁気伝導体によって構成する磁極１０１を挟み付けまた永久磁石の磁極１０３を挟み囲む保護カバー１０１３を加設し、保護カバー１０１３は磁路１０２方向に向かって延伸し、かつ磁路１０２で結合する。また、加設する保護カバーは磁気伝導性或いは非磁気伝導性材料で作ることが可能であることを示す。
【００８８】
図６０は、図５８に示したシリンダー電機の内層構造への応用である。磁極の片側或いは両側にシート状磁気伝達体によって構成する磁極を挟み付けまた永久磁石の磁極を挟み囲む保護カバーを加設し、保護カバーは磁路方向に向かって延伸し、かつ磁路で結合する実施形態の分解斜視図を示す。
図６０は、図５８に示したシリンダー電機の内層構造への応用である。シート状磁気伝導体によって構成する磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側にシート状磁気伝導体によって構成する磁極１０１を挟み付けまた永久磁石の磁極１０３を挟み囲む保護カバー１０１３を加設し、保護カバー１０１３は磁路１０２方向に向かって延伸し、かつ磁路１０２で結合する。また、加設する保護カバーは、磁気伝導性或いは非磁気伝導性材料で作ることが可能であることを示す。
【００８９】
図６１は、図５７に示したシリンダー電機の外層構造である。ブロック状の磁極が磁路の辺縁に近接するところに永久磁石の磁極を入れる軸向きの凹構造を設置する。また、磁極の片側或いは両側にブロック状磁極を挟み付けまた永久磁石の磁極を挟み囲む保護カバーを加設し、保護カバーは磁路方向に向かって延伸し、かつ磁路で結合する実施形態の分解斜視図を示す。
【００９０】
図６１は、図５７に示したシリンダー電機の外層構造への応用である。全体がブロック状である磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側にブロック状磁極１０１を挟み付けまた永久磁石の磁極１０３を挟み囲む保護カバー１０１３を加設し、保護カバー１０１３は磁路１０２方向に向かって延伸し、かつ磁路１０２で結合する。加設する保護カバーは磁気伝導性或いは非磁気伝導性材料で作ることが可能であることを示す。
【００９１】
図６２は、図５８に示したシリンダー電機の内層構造である。ブロック状の磁極が磁路の辺縁に近接するところに永久磁石の磁極を入れる軸向きの凹構造を設置する。また、磁極の片側或いは両側にブロック状磁極を挟み付けまた永久磁石の磁極を挟み囲む保護カバーを加設し、保護カバーは磁路方向に向かって延伸し、かつ磁路で結合する実施形態の分解斜視図を示す。
【００９２】
図６２は、図５８に示したシリンダー電機の内層構造への応用である。全体がブロック状である磁極１０１が磁路１０２の辺縁に近接するところに軸向きの凹構造を設置する。軸向きの凹口の陥凹底面は、平面、曲面、特定の幾何形状、電磁カップリング効果の面に沿って平行する形状であって、相対形状の永久磁石の磁極１０３を入れる。また、ニーズによって磁極１０１の片側或いは両側にブロック状磁極１０１を挟み付けまた永久磁石の磁極１０３を挟み囲む保護カバー１０１３を加設し、保護カバー１０１３は磁路１０２方向に向かって延伸し、かつ磁路１０２で結合する。加設する保護カバーは、磁気伝導性或いは非磁気伝導性材料で作ることが可能であることを示す。
【００９３】
図６３は、図５７に示したシリンダー電機の外層構造への応用である。全体がブロック状によって構成される磁極が磁路の辺縁に近接するところに永久磁石の磁極を入れる凹入部を設け、永久磁石の磁極を設置する。また、全体がブロック状である磁極の片側或いは両側の保護カバーを通して磁路方向に向かって延伸し、かつ磁路で結合する実施形態の分解斜視図を示す。
【００９４】
図６３は、図５７に示したシリンダー電機の外層構造への応用である。全体がブロック状である磁極１０１と磁路１０２の一面にニーズによって選択する幾何形状の永久磁石の磁極１０３を入れる凹台を設置する。また、全体がブロック状である磁極１０１の片側或いは両側に加設する保護カバー１０１３は磁路１０２方向に向かって延伸し、かつ保護カバー１０１３は磁路１０２で結合することを示す。
【００９５】
図６４は、図５８に示したシリンダー電機の内層構造への応用である。全体がブロック状によって構成される磁極が磁路の辺縁に近接するところに永久磁石の磁極を入れる凹入部を設け、永久磁石の磁極を設置する。また、全体がブロック状である磁極の片側或いは両側の保護カバーを通して磁路方向に向かって延伸し、かつ磁路で結合する実施形態の分解斜視図を示す。
【００９６】
図６４は、図５８に示したシリンダー電機の内層構造への応用である。全体がブロック状である磁極１０１と磁路１０２の一面にニーズによって選択する幾何形状の永久磁石の磁極１０３を入れる凹台を設置する。また、全体がブロック状である磁極１０１の片側或いは両側に加設する保護カバー１０１３は磁路１０２方向に向かって延伸し、かつ保護カバー１０１３は磁路１０２で結合することを示す。
【００９７】
図６５は、本実施形態のシリンダー電機の外層構造への応用である。シート状磁気伝導体によって構成する磁極と磁路との間に永久磁石の磁極を挟み付け、また、永久磁石の磁極の片側或いは両側に磁気伝導性保護カバーを設置する実施形態の分解斜視図を示す。
図６５は、本実施形態のシリンダー電機の外層構造への応用である。シート状磁気伝導体によって構成する磁極１０１と磁路１０２との間にニーズによって選択する幾何形状の永久磁石の磁極１０３を設置する。また、磁極１０１の片側或いは両側に保護カバー１０１４を加設する。保護カバー１０１４の長さは、少なくとも永久磁石の磁極１０３の二つの異極性磁極の間をカバーし、また、磁極１０１と永久磁石の磁極１０３を併せた長さと同じである。加設する保護カバーは磁気伝導性材料で作ることを示す。
【００９８】
図６６は、本実施形態のシリンダー電機の内層構造への応用である。シート状磁気伝導体によって構成する磁極と磁路との間に永久磁石の磁極を挟み付け、また、永久磁石の磁極の片側或いは両側に磁気伝導性保護カバーを設置する実施形態の分解斜視図を示す。
図６６は、本実施形態のシリンダー電機の内層構造への応用である。シート状磁気伝導体によって構成する磁極１０１と磁路１０２との間にニーズによって選択する幾何形状の永久磁石の磁極１０３を設置する。また、磁極１０１の片側或いは両側に保護カバー１０１４を加設し、保護カバー１０１４の長さは、少なくとも永久磁石の磁極１０３の二つの異極性磁極の間をカバーし、また、磁極１０１と永久磁石の磁極１０３を併せた長さと同じである。加設する保護カバーは磁気伝導性材料で作ることを示す。
【００９９】
図６７は、図６５に示したシリンダー電機の外層構造である。シート状磁気伝導体によって構成する磁極と磁路との間に永久磁石の磁極を挟み付け、また、永久磁石の磁極の片側或いは両側にシート状磁気伝導体によって構成する磁極を挟み付ける磁気伝導性保護カバーを設置し、保護カバーは磁路方向に向かって延伸し、かつ保護カバーは磁路で結合する実施形態の分解斜視図を示す。
【０１００】
図６７は、図６５に示したシリンダー電機の外層構造への応用である。シート状磁気伝導体によって構成する磁極１０１と磁路１０２との間にニーズによって選択する幾何形状の永久磁石の磁極１０３を設置する。また、永久磁石の磁極１０３の片側或いは両側にシート状磁気伝導体によって構成する磁極１０１を挟み付ける磁気伝導性保護カバー１０１４を加設する。保護カバー１０１４の長さは、少なくとも永久磁石の磁極１０３の二つの異極性磁極の間をカバーし、また、磁極１０１と永久磁石の磁極１０３を併せた長さと同じである。更に磁路１０２方向に向かって延伸し、かつ磁路１０２で結合する。加設する保護カバーは磁気伝導性材料で作ることを示す。
【０１０１】
図６８は、図６６に示したシリンダー電機の内層構造である。シート状磁気伝導体によって構成する磁極と磁路との間に永久磁石の磁極を挟み付け、また、永久磁石の磁極の片側或いは両側にシート状磁気伝導体によって構成する磁極を挟み付ける磁気伝導性保護カバーを設置し、保護カバーは磁路方向に向かって延伸し、かつ保護カバーは磁路で結合する実施形態の分解斜視図を示す。
【０１０２】
図６８は、図６６に示したシリンダー電機の内層構造への応用である。シート状磁気伝導体によって構成する磁極１０１と磁路１０２との間にニーズによって選択する幾何形状の永久磁石の磁極１０３を設置する。また、磁極１０１の片側或いは両側にシート状磁気伝導体によって構成する磁極１０１を挟み付ける磁気伝導性保護カバー１０１４を加設する。保護カバー１０１４の長さは、少なくとも永久磁石の磁極１０３の二つの異極性磁極の間をカバーし、また、磁極１０１と永久磁石の磁極１０３を併せた長さと同じである。更に磁路１０２方向に向かって延伸し、かつ磁路１０２で結合する。加設する保護カバーは磁気伝導性材料で作ることを示す。
【０１０３】
図６９は、図６５に示したシリンダー電機の外層構造である。ブロック状によって構成する磁極と磁路との間に永久磁石の磁極を挟み付け、また、永久磁石の磁極の片側或いは両側にブロック状磁極を挟み付ける磁気伝導性保護カバーを設置し、保護カバーは磁路方向に向かって延伸し、かつ磁路で結合する実施形態を示す。
図６９は、図６５に示したシリンダー電機の外層構造への応用である。シート状磁気伝導体によって構成する磁極１０１と磁路１０２との間にニーズによって選択する幾何形状の永久磁石の磁極１０３を設置する。また、磁極１０１の片側或いは両側にシート状磁気伝導体によって構成する磁極１０１を挟み付ける磁気伝導性保護カバー１０１４を加設する。保護カバー１０１４の長さは、少なくとも永久磁石の磁極１０３の二つの異極性磁極の間をカバーし、また、磁極１０１と永久磁石の磁極１０３を併せた長さと同じである。更に磁路１０２方向に向かって延伸し、かつ磁路１０２で結合する。加設する保護カバーは磁気伝導性材料で作ることを示す。
【０１０４】
図７０は、図６６に示したシリンダー電機の内層構造である。ブロック状によって構成する磁極と磁路との間に永久磁石の磁極を挟み付け、また、永久磁石の磁極の片側或いは両側にブロック状磁極を挟み付ける磁気伝導性保護カバーを設置し、保護カバーは磁路方向に向かって延伸し、かつ磁路で結合する実施形態を示す。
図７０は、図６６に示したシリンダー電機の内層構造への応用である。シート状磁気伝導体によって構成する磁極１０１と磁路１０２との間にニーズによって選択する幾何形状の永久磁石の磁極１０３を設置する。また、磁極１０１の片側或いは両側にシート状磁気伝導体によって構成する磁極１０１を挟み付ける磁気伝導性保護カバー１０１４を加設する。保護カバー１０１４の長さは、少なくとも永久磁石の磁極１０３の二つの異極性磁極の間をカバーし、また、磁極１０１と永久磁石の磁極１０３を併せた長さと同じである。更に磁路１０２方向に向かって延伸し、かつ磁路１０２で結合する。加設する保護カバーは磁気伝導性材料で作ることを示す。
【０１０５】
図７１は、図６５に示したシリンダー電機の外層構造である。全体がブロック状である磁極と磁路との間に永久磁石の磁極を挟み付け、また、全体がブロック状である磁極の片側或いは両側が磁路方向に向かって延伸することにより、磁気伝導性保護カバーを形成する実施形態の分解斜視図を示す。
図７１は、図６５に示したシリンダー電機の外層構造である。全体がブロック状である磁極１０１と磁路１０２との間にニーズによって選択する幾何形状の永久磁石の磁極１０３を設置する。また、全体がブロック状である磁極１０１の片側或いは両側は磁路１０２方向に向かって延伸し、更に永久磁石の磁極１０３の片側或いは両側に保護カバー１０１４を形成し、保護カバー１０１４は磁路１０２で結合する。
【０１０６】
図７２は、図６６に示したシリンダー電機の内層構造である。磁極と磁路との間に永久磁石の磁極を挟み付ける。また、全体がブロック状である磁極の片側或いは両側は磁路方向に向かって延伸し、磁気伝導性保護カバーを形成する実施形態の分解斜視図を示す。
図７２は、図６６に示したシリンダー電機の内層構造である。磁極１０１と磁路１０２との間にニーズによって選択する幾何形状の永久磁石の磁極１０３を設置する。また、全体がブロック状である磁極１０１の片側或いは両側は磁路１０２方向に向かって延伸し、更に永久磁石の磁極１０３の片側或いは両側に保護カバー１０１４を形成し、保護カバー１０１４は磁路１０２で結合する。
【０１０７】
本実施形態の磁極或いは磁路によって永久磁石の磁極を覆う電機は、更に磁極が電磁カップリング効果の面の極軸の片方に近接するところに少なくとも一個の横向きの槽穴を設置する。横向きの槽穴は、線形、弧形、特定の幾何形状、電磁カップリング効果の面に沿って平行する形状であってよい。中に相対数量と相対形状の永久磁石の磁極を設置し、磁極の≡向きの槽穴によって覆われる永久磁石の磁極と磁極の極軸に電機の角度差を設けることによって、必要な磁場の磁力線を分布する。
【０１０８】
図７３に本実施形態のシリンダー電機の外層構造を示す。磁極が電磁カップリング効果の面の極軸の片方に近接するところに磁極の≡向きの槽穴によって覆われる永久磁石の磁極と磁極の極軸に電機の角度差を設けることによって、必要な磁場の磁力線を分布する実施形態の分解斜視図を示す。
図７３は、本実施形態のシリンダー電機の外層構造への応用である。磁極１０１が電磁カップリング効果の面の極軸の片方に近接するところに少なくとも一個の横向きの槽穴を設置する。横向きの槽穴は、線形、弧形、特定の幾何形状、電磁カップリング効果の面に沿って平行する形状であってよい。中に相対数量と相対形状の永久磁石の磁極１０３を設置し、磁極の≡向きの槽穴によって覆われる永久磁石の磁極１０３と磁極１０１の極軸に電機の角度差を設けることによって、必要な磁場の磁力線を分布する。
【０１０９】
図７４に本実施形態のシリンダー電機の内層構造を示す。磁極が電磁カップリング効果の面の極軸の片方に近接するところに磁極の≡向きの槽穴によって覆われる永久磁石の磁極と磁極の極軸に電機の角度差を設けることによって、必要な磁場の磁力線を分布する実施形態の分解斜視図を示す。
図７４は、本実施形態のシリンダー電機の内層構造への応用である。磁極１０１が電磁カップリング効果の面の極軸の片方に近接するところに少なくとも一個の横向きの槽穴を設置する。横向きの槽穴は、線形、弧形、特定の幾何形状、電磁カップリング効果の面に沿って平行する形状であってよい。中に相対数量と相対形状の永久磁石の磁極１０３を設置し、磁極の≡向きの槽穴によって覆われる永久磁石の磁極１０３と磁極１０１の極軸に電機の角度差を設けることによって、必要な磁場の磁力線を分布する。
【０１１０】
上記の図７３及び図７４に示す実施形態は、磁極１０１が電磁カップリング効果の面の極軸の片方に近接するところに少なくとも一個の横向きの槽穴を設置する。横向きの槽穴は、線形、弧形、特定の幾何形状、電磁カップリング効果の面に沿って平行する形状であってよい。中に相対数量と相対形状の永久磁石の磁極１０３を設置し、磁極の≡向きの槽穴によって覆われる永久磁石の磁極１０３と磁極１０１の極軸に電機の角度差を設けることによって、必要な磁場の磁力線を分布する特定構造である。また、同じ原理に従って、ディスク電機やリニア電機構造に設置することも可能である。更にニーズによって磁極１０１の片側或いは両側に磁気伝導性或いは非磁気伝導性材料で作る保護カバーを選択設置する。保護カバーの構成は下記を含む。
【０１１１】
（１）保護カバーを設置しない。
（２）或いは、永久磁石の磁極１０３の片側或いは両側に保護カバーを加設し、保護カバーの長さは磁極１０１と永久磁石の磁極１０３を併せた長さと同じである。
（３）或いは、ブロック状或いはシート状磁気伝導体によって構成される磁極１０１の片側或いは両側に保護カバーを加設することにより、シート状磁気伝導体によって構成される磁極１０１を挟み付け、保護カバーは磁路１０２方向に向かって延伸し、かつ磁路１０２に結合する。
【０１１２】
（４）或いは、磁極１０１の厚さより薄い永久磁石の磁極１０３を横向きの槽穴に置き、かつ横向きの槽穴の片端或いは両端に保護カバー或いはスペーサーを詰め込む。
本実施形態の磁極或いは磁路によって永久磁石の磁極を覆う電機は、更に磁極が電磁カップリング効果の面の極軸の両側に近接するところに各側に少なくとも一個の横向きの槽穴を設置する。横向きの槽穴は、線形、弧形、特定の幾何形状、電磁カップリング効果の面に沿って平行する形状であってよい。横向きの槽穴の位置は磁極の極軸と電機の角度差を呈し、相対数量の二個や二個以上の相対形状である永久磁石の磁極を覆うことによって、必要な磁場の磁力線を分布する。
【０１１３】
図７５は、本実施形態のシリンダー電機の外層構造である。磁極が電磁カップリング効果の面の極軸の両側に近接するところに各側に少なくとも一個の横向きの槽穴を設置する。横向きの槽穴の位置は磁極の極軸と電機の角度差を呈し、相対数量と形状の二個や二個以上の永久磁石の磁極を覆うことによって、必要な磁場の磁力線を分布する実施形態の分解斜視図を示す。
【０１１４】
図７５に本実施形態のシリンダー電機の外層構造への応用を示す。磁極１０１が電磁カップリング効果の面の極軸の両側に近接するところに各側に少なくとも一個の横向きの槽穴を設置する。横向きの槽穴は、線形、弧形、特定の幾何形状、電磁カップリング効果の面に沿って平行する形状であってよい。横向きの槽穴の位置は磁極１０１の極軸と電機の角度差を呈し、相対数量と形状の二個や二個以上の永久磁石の磁極１０３を覆うことによって、必要な磁場の磁力線を分布する。
【０１１５】
図７６は、本実施形態のシリンダー電機の内層構造である。磁極が電磁カップリング効果の面の極軸の両側に近接するところに各側に少なくとも一個の横向きの槽穴を設置する。横向きの槽穴の位置は磁極の極軸と電機の角度差を呈し、相対数量と形状の二個や二個以上の永久磁石の磁極を覆うことによって、必要な磁場の磁力線を分布する実施形態の分解斜視図を示す。
【０１１６】
図７６に本実施形態のシリンダー電機の内層構造への応用を示す。磁極１０１が電磁カップリング効果の面の極軸の両側に近接するところに各側に少なくとも一個の横向きの槽穴を設置する。横向きの槽穴は、線形、弧形、特定の幾何形状、電磁カップリング効果の面に沿って平行する形状であってよい。横向きの槽穴の位置は磁極１０１の極軸と電機の角度差を呈し、相対数量と形状の二個や二個以上の永久磁石の磁極１０３を覆うことによって、必要な磁場の磁力線を分布する。
【０１１７】
上記の図７５及び図７６に示す実施形態は、磁極１０１が電磁カップリング効果の面の極軸の両側に近接するところに各側に少なくとも一個の横向きの槽穴を設置することにより、二個や二個以上の磁極１０１の極軸と電機の角度差を呈する永久磁石の磁極１０３を覆い、必要な磁場の磁力線を分布する方式である。また、同じ原理に従って、ディスク電機やリニア電機構造の磁極１０１に設置することも可能である。更にニーズによって磁極１０１の片側或いは両側に磁気伝導性或いは非磁気伝導性材料で作る保護カバーを選択設置し、保護カバーの構成は下記を含む。
【０１１８】
（１）保護カバーを設置しない。
（２）或いは、永久磁石の磁極１０３の片側或いは両側に保護カバーを加設し、保護カバーの長さは磁極１０１と永久磁石の磁極１０３を併せた長さと同じである。
（３）或いは、ブロック状或いはシート状磁気伝導体によって構成される磁極１０１の片側或いは両側に保護カバーを加設することにより、シート状磁気伝導体によって構成される磁極１０１を挟み付け、保護カバーは磁路１０２方向に向かって延伸し、かつ磁路１０２に結合する。
（４）或いは、磁極１０１の厚さより薄い永久磁石の磁極１０３を横向きの槽穴に置き、かつ横向きの槽穴の片端或いは両端に保護カバー或いはスペーサーを詰め込む。
【０１１９】
上記の図４１から図７６に示す実施形態は、二層式シリンダー電機或いは同軸三リング電機構造の全ての永久磁石の磁極１０３を覆う方式への応用が可能で、同じように二層式ディスク電機、同軸三層式ディスク電機、二層式リニア電機、三層式リニア電機構造への応用も可能であって、かつ加設する保護カバーの方式及び磁気伝導材料の選択も上記の図４１から図７６に示す通りである。
上記をまとめると、本実施形態の磁極或いは磁路によって永久磁石の磁極を覆う電機は、個別磁極と磁路との間に永久磁石の磁極を覆うことであって、伝統的な永久磁石の磁極を極面に貼り付ける方式と比べると、永久磁石の磁極が脱落し、永久磁石の磁極が電機作動中に、逆方向励磁により磁力が弱くなることを防止することを特徴とする。
【符号の説明】
【０１２０】
１１：シリンダー電機の内層構造、１２：シリンダー電機の外層構造、２１：同軸三リング電機の内リング構造、２２：同軸三リング電機の中リング構造、２３：同軸三リング電機の外リング構造、３１：同軸二層式ディスク電機の内層構造、３２：同軸二層式ディスク電機の外層構造、４１：同軸三層式ディスク電機の内層構造、４２：同軸三層式ディスク電機の中層構造、４３：同軸三層式ディスク電機の外層構造、５１：二層式リニア電機の内層構造、５２：二層式リニア電機の外層構造、６１：三層式リニア電機の内層構造、６２：三層式リニア電機の中層構造、６３：三層式リニア電機の外層構造、１０１：磁極、１０２：磁路、１０３：永久磁石の磁極、１０４：磁極の磁路頚部、１０１１：保護カバー、１０１２：保護カバー、１０１３：保護カバー、１０１４：保護カバー
【図１】
0005492407.tif 000002
【図２】
0005492407.tif 000003
【図３】
0005492407.tif 000004
【図４】
0005492407.tif 000005
【図５】
0005492407.tif 000006
【図６】
0005492407.tif 000007
【図７】
0005492407.tif 000008
【図８】
0005492407.tif 000009
【図９】
0005492407.tif 000010
【図１０】
0005492407.tif 000011
【図１１】
0005492407.tif 000012
【図１２】
0005492407.tif 000013
【図１３】
0005492407.tif 000014
【図１４】
0005492407.tif 000015
【図１５】
0005492407.tif 000016
【図１６】
0005492407.tif 000017
【図１７】
0005492407.tif 000018
【図１８】
0005492407.tif 000019
【図１９】
0005492407.tif 000020
【図２０】
0005492407.tif 000021
【図２１】
0005492407.tif 000022
【図２２】
0005492407.tif 000023
【図２３】
0005492407.tif 000024
【図２４】
0005492407.tif 000025
【図２５】
0005492407.tif 000026
【図２６】
0005492407.tif 000027
【図２７】
0005492407.tif 000028
【図２８】
0005492407.tif 000029
【図２９】
0005492407.tif 000030
【図３０】
0005492407.tif 000031
【図３１】
0005492407.tif 000032
【図３２】
0005492407.tif 000033
【図３３】
0005492407.tif 000034
【図３４】
0005492407.tif 000035
【図３５】
0005492407.tif 000036
【図３６】
0005492407.tif 000037
【図３７】
0005492407.tif 000038
【図３８】
0005492407.tif 000039
【図３９】
0005492407.tif 000040
【図４０】
0005492407.tif 000041
【図４１】
0005492407.tif 000042
【図４２】
0005492407.tif 000043
【図４３】
0005492407.tif 000044
【図４４】
0005492407.tif 000045
【図４５】
0005492407.tif 000046
【図４６】
0005492407.tif 000047
【図４７】
0005492407.tif 000048
【図４８】
0005492407.tif 000049
【図４９】
0005492407.tif 000050
【図５０】
0005492407.tif 000051
【図５１】
0005492407.tif 000052
【図５２】
0005492407.tif 000053
【図５３】
0005492407.tif 000054
【図５４】
0005492407.tif 000055
【図５５】
0005492407.tif 000056
【図５６】
0005492407.tif 000057
【図５７】
0005492407.tif 000058
【図５８】
0005492407.tif 000059
【図５９】
0005492407.tif 000060
【図６０】
0005492407.tif 000061
【図６１】
0005492407.tif 000062
【図６２】
0005492407.tif 000063
【図６３】
0005492407.tif 000064
【図６４】
0005492407.tif 000065
【図６５】
0005492407.tif 000066
【図６６】
0005492407.tif 000067
【図６７】
0005492407.tif 000068
【図６８】
0005492407.tif 000069
【図６９】
0005492407.tif 000070
【図７０】
0005492407.tif 000071
【図７１】
0005492407.tif 000072
【図７２】
0005492407.tif 000073
【図７３】
0005492407.tif 000074
【図７４】
0005492407.tif 000075
【図７５】
0005492407.tif 000076
【図７６】
0005492407.tif 000077